(57)【要約】  本発明の実施例は、位置エリア管理方法及びコアネットワークコントローラを提供する。位置エリア管理方法は、コアネットワークコントローラにより、第１のネットワーク標準においてUEにより送信された位置更新要求メッセージを受信するステップと、コアネットワークコントローラにより、ページングエリアリストを生成するステップであり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含むステップと、コアネットワークコントローラにより、ページングエリアリストを位置更新受付メッセージに追加し、位置更新受付メッセージをUEに送信するステップとを含む。本発明の実施例で提供される位置エリア管理方法及びコアネットワークコントローラによれば、異なるネットワーク標準の位置エリアの統一した管理が実行され、標準間の位置更新において協調が実現され、位置エリアの管理効率が改善される。
2016526327.tif 000002
【特許請求の範囲】
【請求項１】
コアネットワークコントローラにより、第１のネットワーク標準においてユーザ装置（UE）により送信された位置更新要求メッセージを受信するステップと、
前記コアネットワークコントローラにより、ページングエリアリストを生成するステップであり、前記ページングエリアリストは、前記第１のネットワーク標準の位置エリアを示すために使用される第１の位置エリアアイデンティティ及び第２のネットワーク標準の位置エリアを示すために使用される第２の位置エリアアイデンティティを少なくとも有するステップと、
前記コアネットワークコントローラにより、前記ページングエリアリストを位置更新受付メッセージに追加し、前記位置更新受付メッセージを前記UEに送信するステップと
を有する位置エリア管理方法。
【請求項２】
前記位置更新要求メッセージは、第１の位置情報を保持し、或いは、前記位置更新要求メッセージは、位置更新トリガーメッセージに保持され、前記位置更新トリガーメッセージは、前記第１の位置情報を保持し、前記第１の位置情報は、前記第１のネットワーク標準において前記位置更新要求メッセージを送信するときに前記UEが位置する位置を示すために使用され、
前記コアネットワークコントローラにより、ページングエリアリストを生成するステップは、
前記コアネットワークコントローラにより、前記第１の位置情報に従って前記ページングエリアリストを生成するステップを有する、請求項１に記載の位置エリア管理方法。
【請求項３】
前記コアネットワークコントローラにより、前記第１の位置情報に従って前記ページングエリアリストを生成するステップは、
前記コアネットワークコントローラにより、前記第１の位置情報に従って、前記第１のネットワーク標準の前記位置エリアを示すために使用される前記第１の位置エリアアイデンティティを決定するステップと、
前記コアネットワークコントローラにより、マッピング関係に従って前記第１の位置情報を前記第２のネットワーク標準の第２の位置情報にマッピングするステップと、
前記コアネットワークコントローラにより、前記第２の位置情報に従って、前記第２のネットワーク標準の前記位置エリアを示すために使用される前記第２の位置エリアアイデンティティを決定するステップと、
前記コアネットワークコントローラにより、前記第１の位置エリアアイデンティティ及び前記第２の位置エリアアイデンティティに従って前記ページングエリアリストを生成するステップと
を有する、請求項２に記載の位置エリア管理方法。
【請求項４】
前記位置更新トリガーメッセージは、第２の位置情報を更に保持し、前記第１の位置情報と前記第２の位置情報との間にマッピング関係が存在し、
前記コアネットワークコントローラにより、前記第１の位置情報に従って前記ページングエリアリストを生成するステップは、
前記コアネットワークコントローラにより、前記第１の位置情報に従って、前記第１のネットワーク標準の前記位置エリアを示すために使用される前記第１の位置エリアアイデンティティを決定するステップと、
前記コアネットワークコントローラにより、前記第２の位置情報に従って、前記第２のネットワーク標準の前記位置エリアを示すために使用される前記第２の位置エリアアイデンティティを決定するステップと、
前記コアネットワークコントローラにより、前記第１の位置エリアアイデンティティ及び前記第２の位置エリアアイデンティティに従って前記ページングエリアリストを生成するステップと
を有する、請求項２に記載の位置エリア管理方法。
【請求項５】
コアネットワークコントローラにより、第１のネットワーク標準においてUEにより送信された位置更新要求メッセージを受信した後、且つ、前記コアネットワークコントローラにより、前記ページングエリアリストを位置更新受付メッセージに追加し、前記位置更新受付メッセージを前記UEに送信する前に、前記方法は、
前記コアネットワークコントローラにより、前記第１のネットワーク標準において使用される第１の一時アイデンティティ及び前記第２のネットワーク標準において使用される第２の一時アイデンティティを前記UEに割り当てるステップを更に有し、
前記コアネットワークコントローラにより、前記ページングエリアリストを位置更新受付メッセージに追加し、前記位置更新受付メッセージを前記UEに送信するステップは、
前記コアネットワークコントローラにより、前記ページングエリアリスト、前記第１の一時アイデンティティ及び前記第２の一時アイデンティティを前記位置更新受付メッセージに追加し、前記位置更新受付メッセージを前記UEに送信するステップを有する、請求項１ないし４のうちいずれか１項に記載の位置エリア管理方法。
【請求項６】
コアネットワークコントローラにより、第１のネットワーク標準においてUEにより送信された位置更新要求メッセージを受信した後、且つ、前記コアネットワークコントローラにより、前記ページングエリアリストを位置更新受付メッセージに追加し、前記位置更新受付メッセージを前記UEに送信する前に、前記方法は、
前記コアネットワークコントローラにより、前記第１のネットワーク標準及び前記第２のネットワーク標準において使用される統一の一時アイデンティティを前記UEに割り当てるステップを更に有し、
前記コアネットワークコントローラにより、前記ページングエリアリストを位置更新受付メッセージに追加し、前記位置更新受付メッセージを前記UEに送信するステップは、
前記コアネットワークコントローラにより、前記ページングエリアリスト及び前記統一の一時アイデンティティを前記位置更新受付メッセージに追加し、前記位置更新受付メッセージを前記UEに送信するステップを有する、請求項１ないし４のうちいずれか１項に記載の位置エリア管理方法。
【請求項７】
前記位置更新要求メッセージは、一時アイデンティティの統一した管理をサポートする指示情報を更に保持し、
前記位置更新受付メッセージは、一時アイデンティティの統一した管理を活性化する指示情報を更に保持する、請求項６に記載の位置エリア管理方法。
【請求項８】
前記コアネットワークコントローラにより、前記ページングエリアリストを位置更新受付メッセージに追加し、前記位置更新受付メッセージを前記UEに送信した後に、前記方法は、
前記コアネットワークコントローラにより、サービングゲートウェイ（S-GW）により送信された下りリンクデータ通知メッセージを受信し、前記ページングエリアリストに記録された少なくとも１つの位置エリアにおいてページングメッセージをアクセスネットワークデバイスに送信するステップを更に有する、請求項１ないし７のうちいずれか１項に記載の位置エリア管理方法。
【請求項９】
前記ページングメッセージは、前記統一の一時アイデンティティを保持する、請求項８に記載の位置エリア管理方法。
【請求項１０】
前記コアネットワークコントローラにより、前記ページングエリアリストに記録された少なくとも１つの位置エリアにおいてページングメッセージをアクセスネットワークデバイスに送信するステップは、
前記コアネットワークコントローラにより、前記ページングエリアリストに記録された前記第１のネットワーク標準の位置エリアにおいて第１のページングメッセージを第１のアクセスネットワークデバイスに送信するステップであり、前記第１のページングメッセージは、前記UEに割り当てられて前記第１のネットワーク標準において使用される前記第１の一時アイデンティティを保持するステップと、
前記コアネットワークコントローラにより、前記ページングエリアリストに記録された前記第２のネットワーク標準の位置エリアにおいて第２のページングメッセージを第２のアクセスネットワークデバイスに送信するステップであり、前記第２のページングメッセージは、前記UEに割り当てられて前記第２のネットワーク標準において使用される前記第２の一時アイデンティティを保持するステップと
を有する、請求項８に記載の位置エリア管理方法。
【請求項１１】
前記コアネットワークコントローラにより、前記ページングエリアリストに記録された少なくとも１つの位置エリアにおいてページングメッセージをアクセスネットワークデバイスに送信するステップは、
前記コアネットワークコントローラにより、シングルラジオコントローラ（SRC）を使用することにより、前記ページングエリアリストに記録された前記少なくとも１つの位置エリアにおいて前記ページングメッセージを前記アクセスネットワークデバイスに送信するステップを有する、請求項８に記載の位置エリア管理方法。
【請求項１２】
前記位置更新要求メッセージは、非アクセス層メッセージであり、前記位置更新トリガーメッセージは、イニシャルUEメッセージ又は上りリンク非アクセス層トランスポートメッセージであり、前記イニシャルUEメッセージ又は前記上りリンク非アクセス層トランスポートメッセージは、アクセスネットワークデバイスにより送信される、請求項２に記載の位置エリア管理方法。
【請求項１３】
前記位置更新要求メッセージは、標準間の位置エリアの管理をサポートする指示情報を更に保持し、
前記位置更新受付メッセージは、標準間の位置エリアの管理を活性化する指示情報を更に保持する、請求項１に記載の位置エリア管理方法。
【請求項１４】
第１のネットワーク標準においてユーザ装置（UE）により送信された位置更新要求メッセージを受信するように構成された受信ユニットと、
ページングエリアリストを生成するように構成された処理ユニットであり、前記ページングエリアリストは、前記第１のネットワーク標準の位置エリアを示すために使用される第１の位置エリアアイデンティティ及び第２のネットワーク標準の位置エリアを示すために使用される第２の位置エリアアイデンティティを少なくとも有する処理ユニットと、
前記処理ユニットにより生成された前記ページングエリアリストを位置更新受付メッセージに追加し、前記位置更新受付メッセージを前記UEに送信するように構成された送信ユニットと
を有するコアネットワークコントローラ。
【請求項１５】
前記位置更新要求メッセージは、第１の位置情報を保持し、或いは、前記位置更新要求メッセージは、位置更新トリガーメッセージに保持され、前記位置更新トリガーメッセージは、前記第１の位置情報を保持し、前記第１の位置情報は、前記第１のネットワーク標準において前記位置更新要求メッセージを開始するときに前記UEが位置する位置を示すために使用され、
前記処理ユニットは、前記第１の位置情報に従って前記ページングエリアリストを生成するように更に構成される、請求項１４に記載のコアネットワークコントローラ。
【請求項１６】
前記処理ユニットは、前記第１の位置情報に従って、前記第１のネットワーク標準の前記位置エリアを示すために使用される前記第１の位置エリアアイデンティティを決定し、マッピング関係に従って前記第１の位置情報を前記第２のネットワーク標準の第２の位置情報にマッピングし、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項１５に記載のコアネットワークコントローラ。
【請求項１７】
前記位置更新トリガーメッセージは、第２の位置情報を更に保持し、前記第１の位置情報と前記第２の位置情報との間にマッピング関係が存在し、
前記処理ユニットは、前記第１の位置情報に従って、前記第１のネットワーク標準の前記位置エリアを示すために使用される前記第１の位置エリアアイデンティティを決定し、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項１５に記載のコアネットワークコントローラ。
【請求項１８】
前記処理ユニットは、前記第１のネットワーク標準において使用される第１の一時アイデンティティ及び前記第２のネットワーク標準において使用される第２の一時アイデンティティを前記UEに割り当てるように更に構成され、
前記送信ユニットは、前記ページングエリアリスト、前記第１の一時アイデンティティ及び前記第２の一時アイデンティティを前記位置更新受付メッセージに追加し、前記位置更新受付メッセージを前記UEに送信するように更に構成される、請求項１４ないし１７のうちいずれか１項に記載のコアネットワークコントローラ。
【請求項１９】
前記処理ユニットは、統一の一時アイデンティティを前記UEに割り当てるように更に構成され、
前記送信ユニットは、前記ページングエリアリスト及び前記統一の一時アイデンティティを前記位置更新受付メッセージに追加し、前記位置更新受付メッセージを前記UEに送信するように更に構成される、請求項１４ないし１７のうちいずれか１項に記載のコアネットワークコントローラ。
【請求項２０】
前記位置更新要求メッセージは、一時アイデンティティの統一した管理をサポートする指示情報を更に保持し、
前記位置更新受付メッセージは、一時アイデンティティの統一した管理を活性化する指示情報を更に保持する、請求項１９に記載のコアネットワークコントローラ。
【請求項２１】
前記受信ユニットは、サービングゲートウェイ（S-GW）により送信された下りリンクデータ通知メッセージを受信するように更に構成され、
前記送信ユニットは、前記ページングエリアリストに記録された少なくとも１つの位置エリアにおいてページングメッセージをアクセスネットワークデバイスに送信するように更に構成される、請求項１４ないし２０のうちいずれか１項に記載のコアネットワークコントローラ。
【請求項２２】
前記ページングメッセージは、前記統一の一時アイデンティティを保持する、請求項２１に記載のコアネットワークコントローラ。
【請求項２３】
前記送信ユニットは、前記ページングエリアリストに記録された前記第１のネットワーク標準の位置エリアにおいて第１のページングメッセージを第１のアクセスネットワークデバイスに送信するように更に構成され、前記第１のページングメッセージは、前記UEに割り当てられて前記第１のネットワーク標準において使用される前記第１の一時アイデンティティを保持し、前記ページングエリアリストに記録された前記第２のネットワーク標準の位置エリアにおいて第２のページングメッセージを第２のアクセスネットワークデバイスに送信するように更に構成され、前記第２のページングメッセージは、前記UEに割り当てられて前記第２のネットワーク標準において使用される前記第２の一時アイデンティティを保持する、請求項２１に記載のコアネットワークコントローラ。
【請求項２４】
前記送信ユニットは、シングルラジオコントローラ（SRC）を使用することにより、前記ページングエリアリストに記録された前記少なくとも１つの位置エリアにおいて前記ページングメッセージを前記アクセスネットワークデバイスに送信するように更に構成される、請求項２１に記載のコアネットワークコントローラ。
【請求項２５】
前記位置更新要求メッセージは、非アクセス層メッセージであり、前記位置更新トリガーメッセージは、イニシャルUEメッセージ又は上りリンク非アクセス層トランスポートメッセージであり、前記イニシャルUEメッセージ又は前記上りリンク非アクセス層トランスポートメッセージは、アクセスネットワークデバイスにより送信される、請求項１５に記載のコアネットワークコントローラ。
【請求項２６】
前記位置更新要求メッセージは、標準間の位置エリアの管理をサポートする指示情報を更に保持し、
前記位置更新受付メッセージは、標準間の位置エリアの管理を活性化する指示情報を更に保持する、請求項１４に記載のコアネットワークコントローラ。
【請求項２７】
第１のネットワーク標準においてユーザ装置（UE）により送信された位置更新要求メッセージを受信するように構成された受信機と、
ページングエリアリストを生成するように構成されたプロセッサであり、前記ページングエリアリストは、前記第１のネットワーク標準の位置エリアを示すために使用される第１の位置エリアアイデンティティ及び第２のネットワーク標準の位置エリアを示すために使用される第２の位置エリアアイデンティティを少なくとも有するプロセッサと、
前記プロセッサにより生成された前記ページングエリアリストを位置更新受付メッセージに追加し、前記位置更新受付メッセージを前記UEに送信するように構成された送信機と
を有するコアネットワークコントローラ。
【請求項２８】
前記位置更新要求メッセージは、第１の位置情報を保持し、或いは、前記位置更新要求メッセージは、位置更新トリガーメッセージに保持され、前記位置更新トリガーメッセージは、前記第１の位置情報を保持し、前記第１の位置情報は、前記第１のネットワーク標準において前記位置更新要求メッセージを開始するときに前記UEが位置する位置を示すために使用され、
前記プロセッサは、前記第１の位置情報に従って前記ページングエリアリストを生成するように更に構成される、請求項２７に記載のコアネットワークコントローラ。
【請求項２９】
前記プロセッサは、前記第１の位置情報に従って、前記第１のネットワーク標準の前記位置エリアを示すために使用される前記第１の位置エリアアイデンティティを決定し、マッピング関係に従って前記第１の位置情報を前記第２のネットワーク標準の第２の位置情報にマッピングし、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項２８に記載のコアネットワークコントローラ。
【請求項３０】
前記位置更新トリガーメッセージは、第２の位置情報を更に保持し、前記第１の位置情報と前記第２の位置情報との間にマッピング関係が存在し、
前記プロセッサは、前記第１の位置情報に従って、前記第１のネットワーク標準の前記位置エリアを示すために使用される前記第１の位置エリアアイデンティティを決定し、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項２８に記載のコアネットワークコントローラ。
【請求項３１】
前記プロセッサは、前記第１のネットワーク標準において使用される第１の一時アイデンティティ及び前記第２のネットワーク標準において使用される第２の一時アイデンティティを前記UEに割り当てるように更に構成され、
前記送信機は、前記ページングエリアリスト、前記第１の一時アイデンティティ及び前記第２の一時アイデンティティを前記位置更新受付メッセージに追加し、前記位置更新受付メッセージを前記UEに送信するように更に構成される、請求項２７ないし３０のうちいずれか１項に記載のコアネットワークコントローラ。
【請求項３２】
前記プロセッサは、統一の一時アイデンティティを前記UEに割り当てるように更に構成され、
前記送信機は、前記ページングエリアリスト及び前記統一の一時アイデンティティを前記位置更新受付メッセージに追加し、前記位置更新受付メッセージを前記UEに送信するように更に構成される。請求項２７ないし３０のうちいずれか１項に記載のコアネットワークコントローラ。
【請求項３３】
前記位置更新要求メッセージは、一時アイデンティティの統一した管理をサポートする指示情報を更に保持し、
前記位置更新受付メッセージは、一時アイデンティティの統一した管理を活性化する指示情報を更に保持する、請求項３２に記載のコアネットワークコントローラ。
【請求項３４】
前記受信機は、サービングゲートウェイ（S-GW）により送信された下りリンクデータ通知メッセージを受信するように更に構成され、
前記送信機は、前記ページングエリアリストに記録された少なくとも１つの位置エリアにおいてページングメッセージをアクセスネットワークデバイスに送信するように更に構成される、請求項２７ないし３３のうちいずれか１項に記載のコアネットワークコントローラ。
【請求項３５】
前記ページングメッセージは、前記統一の一時アイデンティティを保持する、請求項３４に記載のコアネットワークコントローラ。
【請求項３６】
前記送信機は、前記ページングエリアリストに記録された前記第１のネットワーク標準の位置エリアにおいて第１のページングメッセージを第１のアクセスネットワークデバイスに送信するように更に構成され、前記第１のページングメッセージは、前記UEに割り当てられて前記第１のネットワーク標準において使用される前記第１の一時アイデンティティを保持し、前記ページングエリアリストに記録された前記第２のネットワーク標準の位置エリアにおいて第２のページングメッセージを第２のアクセスネットワークデバイスに送信するように更に構成され、前記第２のページングメッセージは、前記UEに割り当てられて前記第２のネットワーク標準において使用される前記第２の一時アイデンティティを保持する、請求項３４に記載のコアネットワークコントローラ。
【請求項３７】
前記送信機は、シングルラジオコントローラ（SRC）を使用することにより、前記ページングエリアリストに記録された前記少なくとも１つの位置エリアにおいて前記ページングメッセージを前記アクセスネットワークデバイスに送信するように更に構成される、請求項３４に記載のコアネットワークコントローラ。
【請求項３８】
前記位置更新要求メッセージは、非アクセス層メッセージであり、前記位置更新トリガーメッセージは、イニシャルUEメッセージ又は上りリンク非アクセス層トランスポートメッセージであり、前記イニシャルUEメッセージ又は前記上りリンク非アクセス層トランスポートメッセージは、アクセスネットワークデバイスにより送信される、請求項２８に記載のコアネットワークコントローラ。
【請求項３９】
前記位置更新要求メッセージは、標準間の位置エリアの管理をサポートする指示情報を更に保持し、
前記位置更新受付メッセージは、標準間の位置エリアの管理を活性化する指示情報を更に保持する、請求項２７に記載のコアネットワークコントローラ。
【発明の詳細な説明】
【技術分野】
【０００１】
本発明の実施例は、通信技術に関し、特に位置エリア管理方法及びコアネットワークコントローラに関する。
【背景技術】
【０００２】
通信技術の進展により、第３世代パートナーシッププロジェクト（Third  Generation  Partnership  Project、略して3GPP）は、高速、高容量且つ良好なユーザ性能を得ることを期待して、3Gロングタームエボリューション（Long  Term  Evolution、略してLTE）技術において研究及び標準化作業を実行している。LTE配備の間の準備段階において、LTEネットワークは、ホットスポットのみで配置されるが、全カバレッジは、2G/3Gネットワークで行われる。複数の無線ネットワークが重複するエリア又は隣接するエリアでは、UE（User  Equipment、ユーザ装置）は、LTEネットワークと2G/3Gネットワークとの間を行き来する場合、システム間のセル再選択がUEについて頻繁に実行される必要がある。システム間のセル再選択のそれぞれは、コアネットワークにおいて登録されたUEの位置情報を更新するためのUEの位置更新手順をもたらし、ネットワーク及びエアインタフェースに大量のシグナリング負荷の増加を生じる。
【０００３】
従来技術では、3GPPは、アイドル状態シグナリングリダクション（Idle  State  Signaling  Reduction、略してISR）機構を導入している。ISR機構が活性化された後に、UEが登録されたカバレッジエリアにおいてUEが移動した場合、標準を超えたとしても、位置更新は実行される必要がない。例えば、UEはLTEと2G/3Gとの双方に登録され、UEは登録された位置エリア情報を別々に独立して管理する。UEが登録された位置エリアにおいてUEが移動した場合、位置更新は実行されない。ISR機構は、位置更新の頻繁な発生を妨げることができるが、異なるネットワーク標準の位置エリアの管理は、異なるコアネットワークノードにより実現され、様々なネットワーク標準の位置エリアの管理は、独立して実行され、従って、効果的に協調的な方式で実行できない。
【発明の概要】
【０００４】
本発明の実施例は、異なるネットワーク標準の位置エリアの統一した管理を実行し、標準間の位置更新において協調を実現し、位置エリアの管理効率を改善するための、位置エリア管理方法及びコアネットワークコントローラを提供する。
【０００５】
第１の態様によれば、本発明の実施例は、位置エリア管理方法を提供し、コアネットワークコントローラにより、第１のネットワーク標準においてユーザ装置（UE）により送信された位置更新要求メッセージを受信するステップと、コアネットワークコントローラにより、ページングエリアリストを生成するステップであり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含むステップと、コアネットワークコントローラにより、ページングエリアリストを位置更新受付メッセージに追加し、位置更新受付メッセージをUEに送信するステップとを含む。
【０００６】
第１の態様の第１の可能な実現方式では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを送信するときにUEが位置する位置を示すために使用され、コアネットワークコントローラにより、ページングエリアリストを生成するステップは、コアネットワークコントローラにより、第１の位置情報に従ってページングエリアリストを生成するステップを含む。
【０００７】
第１の態様の第１の可能な実現方式を参照して、第２の可能な実現方式では、コアネットワークコントローラにより、第１の位置情報に従ってページングエリアリストを生成するステップは、コアネットワークコントローラにより、第１の位置情報に従って、第１のネットワーク標準の位置エリアを示すために使用される第１の位置エリアアイデンティティを決定するステップと、コアネットワークコントローラにより、マッピング関係に従って第１の位置情報を第２のネットワーク標準の第２の位置情報にマッピングするステップと、コアネットワークコントローラにより、第２の位置情報に従って、第２のネットワーク標準の位置エリアを示すために使用される第２の位置エリアアイデンティティを決定するステップと、コアネットワークコントローラにより、第１の位置エリアアイデンティティ及び第２の位置エリアアイデンティティに従ってページングエリアリストを生成するステップとを含む。
【０００８】
第１の態様の第１の可能な実現方式を参照して、第３の可能な実現方式では、位置更新トリガーメッセージは、第２の位置情報を更に保持し、第１の位置情報と第２の位置情報との間にマッピング関係が存在し、コアネットワークコントローラにより、第１の位置情報に従ってページングエリアリストを生成するステップは、コアネットワークコントローラにより、第１の位置情報に従って、第１のネットワーク標準の位置エリアを示すために使用される第１の位置エリアアイデンティティを決定するステップと、コアネットワークコントローラにより、第２の位置情報に従って、第２のネットワーク標準の位置エリアを示すために使用される第２の位置エリアアイデンティティを決定するステップと、コアネットワークコントローラにより、第１の位置エリアアイデンティティ及び第２の位置エリアアイデンティティに従ってページングエリアリストを生成するステップとを含む。
【０００９】
第１の態様又は第１の態様の第１〜第３の可能な実現方式のいずれか１つを参照して、第４の可能な実現方式では、コアネットワークコントローラにより、第１のネットワーク標準においてUEにより送信された位置更新要求メッセージを受信した後、且つ、コアネットワークコントローラにより、ページングエリアリストを位置更新受付メッセージに追加し、位置更新受付メッセージをUEに送信する前に、この方法は、コアネットワークコントローラにより、第１のネットワーク標準において使用される第１の一時アイデンティティ及び第２のネットワーク標準において使用される第２の一時アイデンティティをUEに割り当てるステップを更に含み、コアネットワークコントローラにより、ページングエリアリストを位置更新受付メッセージに追加し、位置更新受付メッセージをUEに送信するステップは、コアネットワークコントローラにより、ページングエリアリスト、第１の一時アイデンティティ及び第２の一時アイデンティティを位置更新受付メッセージに追加し、位置更新受付メッセージをUEに送信するステップを含む。
【００１０】
第１の態様又は第１の態様の第１〜第３の可能な実現方式のいずれか１つを参照して、第５の可能な実現方式では、コアネットワークコントローラにより、第１のネットワーク標準においてUEにより送信された位置更新要求メッセージを受信した後、且つ、コアネットワークコントローラにより、ページングエリアリストを位置更新受付メッセージに追加し、位置更新受付メッセージをUEに送信する前に、この方法は、コアネットワークコントローラにより、第１のネットワーク標準及び第２のネットワーク標準において使用される統一の一時アイデンティティをUEに割り当てるステップを更に含み、コアネットワークコントローラにより、ページングエリアリストを位置更新受付メッセージに追加し、位置更新受付メッセージをUEに送信するステップは、コアネットワークコントローラにより、ページングエリアリスト及び統一の一時アイデンティティを位置更新受付メッセージに追加し、位置更新受付メッセージをUEに送信するステップを含む。
【００１１】
第１の態様の第５の可能な実現方式を参照して、第６の可能な実現方式では、位置更新要求メッセージは、一時アイデンティティの統一した管理をサポートする指示情報を更に保持し、位置更新受付メッセージは、一時アイデンティティの統一した管理を活性化する指示情報を更に保持する。
【００１２】
第１の態様又は第１の態様の第１〜第６の可能な実現方式のいずれか１つを参照して、第７の可能な実現方式では、コアネットワークコントローラにより、ページングエリアリストを位置更新受付メッセージに追加し、位置更新受付メッセージをUEに送信した後に、この方法は、コアネットワークコントローラにより、サービングゲートウェイ（S-GW）により送信された下りリンクデータ通知メッセージを受信し、ページングエリアリストに記録された少なくとも１つの位置エリアにおいてページングメッセージをアクセスネットワークデバイスに送信するステップを更に含む。
【００１３】
第１の態様の第７の可能な実現方式を参照して、第８の可能な実現方式では、ページングメッセージは、統一の一時アイデンティティを保持する。
【００１４】
第１の態様の第７の可能な実現方式を参照して、第９の可能な実現方式では、コアネットワークコントローラにより、ページングエリアリストに記録された少なくとも１つの位置エリアにおいてページングメッセージをアクセスネットワークデバイスに送信するステップは、コアネットワークコントローラにより、ページングエリアリストに記録された第１のネットワーク標準の位置エリアにおいて第１のページングメッセージを第１のアクセスネットワークデバイスに送信するステップであり、第１のページングメッセージは、UEに割り当てられて第１のネットワーク標準において使用される第１の一時アイデンティティを保持するステップと、コアネットワークコントローラにより、ページングエリアリストに記録された第２のネットワーク標準の位置エリアにおいて第２のページングメッセージを第２のアクセスネットワークデバイスに送信するステップであり、第２のページングメッセージは、UEに割り当てられて第２のネットワーク標準において使用される第２の一時アイデンティティを保持するステップとを含む。
【００１５】
第１の態様の第７の可能な実現方式を参照して、第１０の可能な実現方式では、コアネットワークコントローラにより、ページングエリアリストに記録された少なくとも１つの位置エリアにおいてページングメッセージをアクセスネットワークデバイスに送信するステップは、コアネットワークコントローラにより、シングルラジオコントローラ（SRC）を使用することにより、ページングエリアリストに記録された少なくとも１つの位置エリアにおいてページングメッセージをアクセスネットワークデバイスに送信するステップを含む。
【００１６】
第１の態様の第１の可能な実現方式を参照して、第１１の可能な実現方式では、位置更新要求メッセージは、非アクセス層メッセージであり、位置更新トリガーメッセージは、イニシャルUEメッセージ又は上りリンク非アクセス層トランスポートメッセージであり、イニシャルUEメッセージ又は上りリンク非アクセス層トランスポートメッセージは、アクセスネットワークデバイスにより送信される。
【００１７】
第１２の可能な実現方式では、位置更新要求メッセージは、標準間の位置エリアの管理をサポートする指示情報を更に保持し、位置更新受付メッセージは、標準間の位置エリアの管理を活性化する指示情報を更に保持する。
【００１８】
第２の態様によれば、本発明は、コアネットワークコントローラを提供し、第１のネットワーク標準においてUEにより送信された位置更新要求メッセージを受信するように構成された受信ユニットと、ページングエリアリストを生成するように構成された処理ユニットであり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含む処理ユニットと、処理ユニットにより生成されたページングエリアリストを位置更新受付メッセージに追加し、位置更新受付メッセージをUEに送信するように構成された送信ユニットとを含む。
【００１９】
第２の態様の第１の可能な実現方式では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを開始するときにUEが位置する位置を示すために使用され、処理ユニットは、第１の位置情報に従ってページングエリアリストを生成するように更に構成される。
【００２０】
第２の態様の第１の可能な実現方式を参照して、第２の可能な実現方式では、処理ユニットは、第１の位置情報に従って、第１のネットワーク標準の位置エリアを示すために使用される第１の位置エリアアイデンティティを決定し、マッピング関係に従って第１の位置情報を第２のネットワーク標準の第２の位置情報にマッピングし、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【００２１】
第２の態様の第１の可能な実現方式を参照して、第３の可能な実現方式では、位置更新トリガーメッセージは、第２の位置情報を更に保持し、第１の位置情報と第２の位置情報との間にマッピング関係が存在し、処理ユニットは、第１の位置情報に従って、第１のネットワーク標準の位置エリアを示すために使用される第１の位置エリアアイデンティティを決定し、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【００２２】
第２の態様又は第２の態様の第１〜第３の可能な実現方式のいずれか１つを参照して、第４の可能な実現方式では、処理ユニットは、第１のネットワーク標準において使用される第１の一時アイデンティティ及び第２のネットワーク標準において使用される第２の一時アイデンティティをUEに割り当てるように更に構成され、送信ユニットは、ページングエリアリスト、第１の一時アイデンティティ及び第２の一時アイデンティティを位置更新受付メッセージに追加し、位置更新受付メッセージをUEに送信するように更に構成される。
【００２３】
第２の態様又は第２の態様の第１〜第３の可能な実現方式のいずれか１つを参照して、第５の可能な実現方式では、処理ユニットは、統一の一時アイデンティティをUEに割り当てるように更に構成され、送信ユニットは、ページングエリアリスト及び統一の一時アイデンティティを位置更新受付メッセージに追加し、位置更新受付メッセージをUEに送信するように更に構成される。
【００２４】
第２の態様の第５の可能な実現方式を参照して、第６の可能な実現方式では、位置更新要求メッセージは、一時アイデンティティの統一した管理をサポートする指示情報を更に保持し、位置更新受付メッセージは、一時アイデンティティの統一した管理を活性化する指示情報を更に保持する。
【００２５】
第２の態様又は第２の態様の第１〜第６の可能な実現方式のいずれか１つを参照して、第７の可能な実現方式では、受信ユニットは、サービングゲートウェイ（S-GW）により送信された下りリンクデータ通知メッセージを受信するように更に構成され、送信ユニットは、ページングエリアリストに記録された少なくとも１つの位置エリアにおいてページングメッセージをアクセスネットワークデバイスに送信するように更に構成される。
【００２６】
第２の態様の第７の可能な実現方式を参照して、第８の可能な実現方式では、ページングメッセージは、統一の一時アイデンティティを保持する。
【００２７】
第２の態様の第７の可能な実現方式を参照して、第９の可能な実現方式では、送信ユニットは、ページングエリアリストに記録された第１のネットワーク標準の位置エリアにおいて第１のページングメッセージを第１のアクセスネットワークデバイスに送信するように更に構成され、第１のページングメッセージは、UEに割り当てられて第１のネットワーク標準において使用される第１の一時アイデンティティを保持し、ページングエリアリストに記録された第２のネットワーク標準の位置エリアにおいて第２のページングメッセージを第２のアクセスネットワークデバイスに送信するように更に構成され、第２のページングメッセージは、UEに割り当てられて第２のネットワーク標準において使用される第２の一時アイデンティティを保持する。
【００２８】
第２の態様の第７の可能な実現方式を参照して、第１０の可能な実現方式では、送信ユニットは、シングルラジオコントローラ（SRC）を使用することにより、ページングエリアリストに記録された少なくとも１つの位置エリアにおいてページングメッセージをアクセスネットワークデバイスに送信するように更に構成される。
【００２９】
第２の態様の第１の可能な実現方式を参照して、第１１の可能な実現方式では、位置更新要求メッセージは、非アクセス層メッセージであり、位置更新トリガーメッセージは、イニシャルUEメッセージ又は上りリンク非アクセス層トランスポートメッセージであり、イニシャルUEメッセージ又は上りリンク非アクセス層トランスポートメッセージは、アクセスネットワークデバイスにより送信される。
【００３０】
第１２の可能な実現方式では、位置更新要求メッセージは、標準間の位置エリアの管理をサポートする指示情報を更に保持し、位置更新受付メッセージは、標準間の位置エリアの管理を活性化する指示情報を更に保持する。
【００３１】
第３の態様によれば、本発明の実施例は、コアネットワークコントローラを提供し、第１のネットワーク標準においてUEにより送信された位置更新要求メッセージを受信するように構成された受信機と、ページングエリアリストを生成するように構成されたプロセッサであり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含むプロセッサと、プロセッサにより生成されたページングエリアリストを位置更新受付メッセージに追加し、位置更新受付メッセージをUEに送信するように構成された送信機とを含む。
【００３２】
第１の可能な実現方式では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを開始するときにUEが位置する位置を示すために使用され、プロセッサは、第１の位置情報に従ってページングエリアリストを生成するように更に構成される。
【００３３】
第３の態様の第１の可能な実現方式を参照して、第２の可能な実現方式では、プロセッサは、第１の位置情報に従って、第１のネットワーク標準の位置エリアを示すために使用される第１の位置エリアアイデンティティを決定し、マッピング関係に従って第１の位置情報を第２のネットワーク標準の第２の位置情報にマッピングし、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【００３４】
第３の態様の第１の可能な実現方式を参照して、第３の可能な実現方式では、位置更新トリガーメッセージは、第２の位置情報を更に保持し、第１の位置情報と第２の位置情報との間にマッピング関係が存在し、プロセッサは、第１の位置情報に従って、第１のネットワーク標準の位置エリアを示すために使用される第１の位置エリアアイデンティティを決定し、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【００３５】
第３の態様又は第３の態様の第１〜第３の可能な実現方式のいずれか１つを参照して、第４の可能な実現方式では、プロセッサは、第１のネットワーク標準において使用される第１の一時アイデンティティ及び第２のネットワーク標準において使用される第２の一時アイデンティティをUEに割り当てるように更に構成され、送信機は、ページングエリアリスト、第１の一時アイデンティティ及び第２の一時アイデンティティを位置更新受付メッセージに追加し、位置更新受付メッセージをUEに送信するように更に構成される。
【００３６】
第３の態様又は第３の態様の第１〜第３の可能な実現方式のいずれか１つを参照して、第５の可能な実現方式では、プロセッサは、統一の一時アイデンティティをUEに割り当てるように更に構成され、送信機は、ページングエリアリスト及び統一の一時アイデンティティを位置更新受付メッセージに追加し、位置更新受付メッセージをUEに送信するように更に構成される。
【００３７】
第３の態様の第５の可能な実現方式を参照して、第６の可能な実現方式では、位置更新要求メッセージは、一時アイデンティティの統一した管理をサポートする指示情報を更に保持し、位置更新受付メッセージは、一時アイデンティティの統一した管理を活性化する指示情報を更に保持する。
【００３８】
第３の態様又は第３の態様の第１〜第６の可能な実現方式のいずれか１つを参照して、第７の可能な実現方式では、受信機は、サービングゲートウェイ（S-GW）により送信された下りリンクデータ通知メッセージを受信するように更に構成され、送信機は、ページングエリアリストに記録された少なくとも１つの位置エリアにおいてページングメッセージをアクセスネットワークデバイスに送信するように更に構成される。
【００３９】
第３の態様の第７の可能な実現方式を参照して、第８の可能な実現方式では、ページングメッセージは、統一の一時アイデンティティを保持する。
【００４０】
第３の態様の第７の可能な実現方式を参照して、第９の可能な実現方式では、送信機は、ページングエリアリストに記録された第１のネットワーク標準の位置エリアにおいて第１のページングメッセージを第１のアクセスネットワークデバイスに送信するように更に構成され、第１のページングメッセージは、UEに割り当てられて第１のネットワーク標準において使用される第１の一時アイデンティティを保持し、ページングエリアリストに記録された第２のネットワーク標準の位置エリアにおいて第２のページングメッセージを第２のアクセスネットワークデバイスに送信するように更に構成され、第２のページングメッセージは、UEに割り当てられて第２のネットワーク標準において使用される第２の一時アイデンティティを保持する。
【００４１】
第３の態様の第７の可能な実現方式を参照して、第１０の可能な実現方式では、送信機は、シングルラジオコントローラ（SRC）を使用することにより、ページングエリアリストに記録された少なくとも１つの位置エリアにおいてページングメッセージをアクセスネットワークデバイスに送信するように更に構成される。
【００４２】
第３の態様の第１の可能な実現方式を参照して、第１１の可能な実現方式では、位置更新要求メッセージは、非アクセス層メッセージであり、位置更新トリガーメッセージは、イニシャルUEメッセージ又は上りリンク非アクセス層トランスポートメッセージであり、イニシャルUEメッセージ又は上りリンク非アクセス層トランスポートメッセージは、アクセスネットワークデバイスにより送信される。
【００４３】
第１２の可能な実現方式では、位置更新要求メッセージは、標準間の位置エリアの管理をサポートする指示情報を更に保持し、位置更新受付メッセージは、標準間の位置エリアの管理を活性化する指示情報を更に保持する。
【００４４】
前述の技術的対策から、本発明の実施例で提供される位置エリア管理方法及びコアネットワークコントローラによれば、コアネットワークコントローラは、UEにより送信された位置更新要求メッセージを受信し、ページングエリアリストを生成し、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含み、ページングエリアリストを位置更新受付メッセージに追加し、位置更新受付メッセージをUEに送信し、UEがページングエリアリストに記録された位置エリアにおいて移動した場合、周期的な位置更新を除き、位置更新が開始される必要がないことをUEに通知する。これにより、コアネットワークコントローラによる異なるネットワーク標準の位置エリアの統一した管理と、標準間の位置更新における協調とが実現され、位置エリア管理の柔軟性が改善され、異なる移動特性を有するUEにより開始された位置更新が更に効果的に最適化され得る。LTE配備の間の準備段階において、或いはLTE配備の間の期間内であっても、カバレッジ分布は離散的である。実施例で提供される位置エリア管理方法を使用することにより、UEが中心となって、UEの移動特性に従って効率的な動的ページングエリアが実際に形成される可能性が高くなり、位置エリアの管理効率が改善される。
【図面の簡単な説明】
【００４５】
本発明の実施例又は従来技術の技術的対策を明確に説明するために、以下に、実施例又は従来技術を説明するために必要な添付図面について簡単に紹介する。明らかに、以下の説明において、添付図面は、本発明の単にいくつかの実施例を示しているに過ぎず、当業者は、創造的取り組みを行うことなく、依然としてこれらの添付図面から他の図面を導き得る。
【図１】本発明の実施例による第１の位置エリア管理方法のフローチャート
【図２】本発明の実施例による位置更新のシグナリング図
【図３】本発明の実施例による第２の位置エリア管理方法のフローチャート
【図４】本発明の実施例による第３の位置エリア管理方法のフローチャート
【図５】本発明の実施例による第１のコアネットワークコントローラの概略構成図
【図６】本発明の実施例による第２のコアネットワークコントローラの概略構成図
【発明を実施するための形態】
【００４６】
本発明の実施例の目的、技術的対策及び利点を明確にするために、以下に、本発明の実施例の添付図面を参照して、本発明の実施例の技術的対策を明確且つ完全に説明する。明らかに、説明する実施例は、本発明の実施例の全てではなく、一部である。創造的取り組みを行うことなく本発明の実施例に基づいて当業者により得られる全ての他の実施例は、本発明の保護範囲内に入るものとする。
【００４７】
図１は、本発明の実施例による第１の位置エリア管理方法のフローチャートである。図１に示すように、この実施例で提供される位置エリア管理方法は、具体的に無線通信システムの位置エリア管理処理に適用されてもよい。無線通信システムは、少なくとも２つのネットワーク標準、例えば、LTEネットワーク及び2G/3Gネットワークが共存する適用シナリオである。2Gネットワークは、GSM（Global  System  of  Mobile、グローバル移動通信システム）ネットワーク、TDMA（Time  Division  Multiple  Access、時分割多重アクセス）ネットワーク等を含み、3Gネットワークは、WCDMA（Wideband  Code  Division  Multiple  Access、広帯域符号分割多重アクセス）ネットワーク、TD-SCDMA（Time  Division-Synchronous  Code  Division  Multiple  Access、時分割同期符号分割多重アクセスネットワーク）等を含む。LTEネットワークにおけるネットワークエレメントは、P-GW（Packet  Data  Network  Gateway、パケットデータネットワークゲートウェイ）、S-GW（サービングゲートウェイ、Serving  Gateway）、MME（Mobility  Management  Entity、モビリティ管理エンティティ）及びeNB（evolved  Node  B、進化型ノードＢ）を具体的に含む。2Gネットワークにおけるネットワークエレメントは、P-GW、S-GW、SGSN（Serving  GPRS  Support  Node、サービングGPRSサポートノード）、BTS（Base  Transceiver  Station、基地送受信局）及びBSC（Base  Station  Controller、基地局コントローラ）を具体的に含む。3Gネットワークにおけるネットワークエレメントは、P-GW、S-GW、SGSN、Node  B（ノードＢ）及びRNC（Radio  Network  Controller、無線ネットワークコントローラ）を具体的に含む。説明を簡単にするために、以下の説明では、LTEネットワークと2G/3Gネットワークとが共存する適用シナリオについて説明するが、本発明はこれに限定されない。
【００４８】
この実施例で提供される位置エリア管理方法は、以下のステップを具体的に含む。
【００４９】
ステップ101：コアネットワークコントローラは、第１のネットワーク標準においてUEにより送信された位置更新要求メッセージを受信する。
【００５０】
ステップ102：コアネットワークコントローラは、ページングエリアリストを生成する。ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含む。
【００５１】
第１のネットワーク標準の位置エリアは、第１のネットワーク標準において位置更新要求メッセージを送信するときにUEが位置する位置エリアでもよく、第１のネットワーク標準において位置更新要求メッセージを送信するときにUEが位置する位置エリア、及び第１のネットワーク標準の位置エリアであり、その位置エリアに隣接する位置エリアでもよく、ここでは限定は課されない。
【００５２】
ステップ103：コアネットワークコントローラは、ページングエリアリストを位置更新受付メッセージに追加し、位置更新受付メッセージをUEに送信する。
【００５３】
具体的に、コアネットワークコントローラ（Core  Network  Controller、略してCC）は、新たに追加されたネットワークエレメントであり、LTEネットワーク及び2G/3GネットワークにおいてUEの位置エリアの管理を同時に実行する。UEは、LTEネットワーク又は2G/3Gネットワークのセルにおいて位置更新手順を開始してもよい。LTEネットワークが第１のネットワーク標準である場合、2G/3Gネットワークは第２のネットワーク標準である。2G/3Gネットワークが第２のネットワーク標準である場合、LTEネットワークは第１のネットワーク標準である。UEは、複数の適用シナリオにおいて位置更新手順をトリガーしてもよい。
【００５４】
適用シナリオでは、UEがアイドル状態で位置更新を開始した場合、UEは、RRC（Radio  Resource  Control、無線リソース制御プロトコル）メッセージを、LTEネットワークのeNB、2GネットワークのBSC又は3GネットワークのRNCのような第１のネットワーク標準のアクセスネットワークデバイスに送信する。RRCメッセージは、位置更新要求メッセージを保持し、位置更新要求メッセージは、NAS（Non  Access  Stratum、非アクセス層）メッセージを使用することにより実現されてもよい。位置更新要求メッセージは、UEが位置する第１のネットワーク標準の位置エリアを示すために使用される第１の位置情報を保持してもよく、保持しなくてもよい。RRCメッセージを受信した場合、アクセスネットワークデバイスは、UEのコンテキストが記憶されていないことを見つけ、UEが新たにアクセスした端末であると決定し、イニシャルUEメッセージ（Initial  UE  Message）をコアネットワークコントローラに送信する。イニシャルUEメッセージは、位置更新要求メッセージを保持し、第１の位置情報を更に保持してもよい。すなわち、第１の位置情報は、位置更新要求メッセージに保持され、コアネットワークコントローラに伝送されてもよく、イニシャルUEメッセージを使用することによりアクセスネットワークデバイスによりコアネットワークコントローラに送信されてもよい。
【００５５】
他の適用シナリオでは、UEが接続状態で位置更新を開始した場合、UEは、RRCメッセージを第１のネットワーク標準のアクセスネットワークデバイスに送信する。RRCメッセージは、位置更新要求メッセージを保持し、位置更新要求メッセージは、NASメッセージを使用することにより実現されてもよい。位置更新要求メッセージは、UEが位置する第１のネットワーク標準の位置エリアを示すために使用される第１の位置情報を保持してもよく、保持しなくてもよい。RRCメッセージを受信した場合、アクセスネットワークデバイスは、UEのコンテキストが記憶されていることを見つけ、上りリンク非アクセス層トランスポート（Uplink  NAS  Transport）メッセージをコアネットワークコントローラに送信する。上りリンク非アクセス層トランスポートメッセージは、位置更新要求メッセージを保持し、第１の位置情報を更に保持してもよい。すなわち、第１の位置情報は、位置更新要求メッセージに保持され、コアネットワークコントローラに伝送されてもよく、上りリンク非アクセス層トランスポートメッセージを使用することによりアクセスネットワークデバイスによりコアネットワークコントローラに送信されてもよい。
【００５６】
コアネットワークコントローラが位置更新要求メッセージを受信したときに、位置更新要求メッセージが第１の位置情報を保持し、或いは、位置更新要求メッセージが位置更新トリガーメッセージに保持され、位置更新トリガーメッセージがイニシャルUEメッセージ又は上りリンクNASトランスポートメッセージでもよく、位置更新トリガーメッセージが第１の位置情報を保持し、第１の位置情報が、位置更新を開始するときにUEが位置する第１のネットワーク標準の位置エリアのアイデンティティである場合、コアネットワークが第１の位置情報に従ってページングリストを生成してもよいことは、具体的に、ページングエリアリスト（Paging  Area  List、略してPAL）を生成するため、マッピング関係に従って第１のネットワーク標準の第１の位置情報を第２のネットワーク標準の第２の位置情報にマッピングすることでもよい。ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含む。
【００５７】
マッピング関係は、第１のネットワーク標準の位置エリアと第２のネットワーク標準の位置エリアとの間のカバレッジ関係でもよい点に留意すべきである。例えば、マッピング関係は、第１のネットワーク標準の位置エリア間の隣接関係のテーブル及び異なる標準の位置エリア間のカバレッジ関係のテーブルである。この場合、マッピング関係に従って第１のネットワーク標準の第１の位置情報を第２のネットワーク標準の第２の位置情報にマッピングすることは、第２の位置情報を取得するため、まず、第１のネットワーク標準の位置エリア間の隣接関係のテーブルに従って、位置更新要求を開始するときにUEが位置する位置エリアの隣接位置エリアを取得し、次に、異なる標準の位置エリア間のカバレッジ関係のテーブルを使用することにより、UEが位置する位置エリア及び隣接位置エリアとカバレッジの重複を有する第２のネットワーク標準の位置エリアを取得することを具体的に含む。
【００５８】
他の例では、マッピング関係は、異なる標準の位置エリア間の重複するカバレッジ関係でもよい。２つの標準の２つの位置エリアのカバレッジ範囲が同じであることを仮定すると、２つの位置エリアの間にマッピング関係が存在する。２つの位置エリアのうち一方の位置エリアの位置エリアアイデンティティを取得した場合、コアネットワークコントローラがページングエリアリストを生成するため、コアネットワークコントローラは、マッピング関係に従って他方の位置エリアの位置エリアアイデンティティを取得してもよい。マッピング関係は、具体的にマッピングテーブル、データ構造等の方式で記録されてもよい。
【００５９】
マッピング関係はまた、コアネットワークコントローラにより構成されたトポロジマッピング関係でもよい。この場合、コアネットワークコントローラは、UEが位置更新を開始したネットワーク標準と、コアネットワークコントローラにより構成されたトポロジマッピング関係におけるネットワーク標準の対応する位置エリアとに従って、ページングエリアリストを生成してもよい。
【００６０】
任意選択で、コアネットワークコントローラはまた、位置更新が開始されたネットワーク標準のアクセスネットワークデバイスにより送信された他のネットワーク標準の位置情報に従って、ページングエリアリストを生成してもよい。
【００６１】
任意選択で、コアネットワークコントローラにより受信されたメッセージが第１の位置情報と、第１の位置情報がマッピングされた第２のネットワーク標準の第２の位置情報とを含む場合、コアネットワークコントローラはまた、第１の位置情報及び第２の位置情報に従ってページングエリアリストを生成してもよい。
【００６２】
コアネットワークコントローラは、ページングエリアリストを位置更新受付メッセージに追加し、位置更新受付メッセージをUEに送信する。位置更新受付メッセージは、NASメッセージを使用することにより実現されてもよい。UEがページングエリアリストを受信した後に、UEがページングエリアリストに記録された全ての位置エリアにおいて移動した場合、周期的な位置更新を除き、位置更新は開始される必要がない。
【００６３】
この実施例で提供される位置エリア管理方法によれば、コアネットワークコントローラは、UEにより送信された位置更新要求メッセージを受信し、ページングエリアリストを生成し、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含み、ページングエリアリストを位置更新受付メッセージに追加し、位置更新受付メッセージをUEに送信し、UEがページングエリアリストに記録された位置エリアにおいて移動した場合、周期的な位置更新を除き、位置更新が開始される必要がないことをUEに通知する。これにより、コアネットワークコントローラによる異なるネットワーク標準の位置エリアの統一した管理と、標準間の位置更新における協調とが実現され、位置エリア管理の柔軟性が改善され、異なる移動特性を有するUEにより開始された位置更新が更に効果的に最適化され得る。LTE配備の間の準備段階において、或いはLTE配備の間の期間内であっても、カバレッジ分布は離散的である。この実施例で提供される位置エリア管理方法を使用することにより、UEが中心となって、UEの移動特性に従って効率的な動的ページングエリアが実際に形成される可能性が高くなり、位置エリアの管理効率が改善される。
【００６４】
この実施例では、位置更新要求メッセージは、第１の位置情報を保持し、或いは、位置更新要求メッセージは、位置更新トリガーメッセージに保持される。位置更新トリガーメッセージは、第１の位置情報を保持し、第１の位置情報は、第１のネットワーク標準において位置更新要求メッセージを開始するときにUEが位置する位置を示すために使用される。
【００６５】
ステップ102においてコアネットワークコントローラがページングエリアリストを生成することは、コアネットワークコントローラにより、第１の位置情報に従ってページングエリアリストを生成することを含む。
【００６６】
この実施例では、位置更新要求メッセージは、非アクセス層メッセージであり、位置更新トリガーメッセージは、イニシャルUEメッセージ又は上りリンク非アクセス層トランスポートメッセージである。イニシャルUEメッセージ又は上りリンク非アクセス層トランスポートメッセージは、アクセスネットワークデバイスにより送信される。
【００６７】
具体的に、まず、一例では、UEは、LTEネットワークのセルにおいて位置更新を開始する。この場合、LTEネットワークは第１のネットワーク標準であり、2G/3Gネットワークは第２のネットワーク標準であり、コアネットワークコントローラは、以下の２つの方式で第１の位置情報を取得してもよい。
【００６８】
方式１では、UEは、位置更新要求メッセージをeNBに送信する。位置更新要求メッセージは、具体的に、トラッキングエリア更新（Tracking  Area  Update、略してTAU）要求メッセージであり、TAU要求メッセージは、NASメッセージである。TAU要求メッセージは、トラッキングエリアアイデンティティ（Tracking  Area  Identity、略してTAI）を保持し、TAIにより示されるトラッキングエリアは、UEが位置更新を開始したセルが属するトラッキングエリアである。
【００６９】
方式２では、UEは、位置更新要求メッセージをeNBに送信し、eNBは、UEが位置更新を開始したセルが属するトラッキングエリアを習得してもよい。eNBは、位置更新要求メッセージをコアネットワークコントローラに送信する。位置更新要求メッセージは、第１の位置情報を保持してもよく、第１の位置情報は、TAIを含む。或いは、eNBは、位置更新要求メッセージを保持する位置更新トリガーメッセージを使用することにより、TAIをコアネットワークコントローラに送信する。
【００７０】
コアネットワークコントローラは、統一した方式で異なるネットワーク標準の位置エリアを管理するため、コアネットワークコントローラは、異なるネットワーク標準のネットワークトポロジ情報に従ってLTEネットワークのトラッキングエリアを2G/3Gネットワークのルーティングエリアにマッピングし、ページングエリアリストを生成してもよい。ページングエリアリストは、１つ以上のTAIと、１つ以上のRAI（Routeing  Area  Identity、ルーティングエリアアイデンティティ）とを含む。TAIは第１の位置エリアアイデンティティであり、RAIは第２の位置エリアアイデンティティである。
【００７１】
コアネットワークコントローラは、ページングエリアリストを位置更新受付メッセージに追加し、位置更新受付メッセージをUEに送信する。位置更新受付メッセージは、具体的に、トラッキングエリア更新受付メッセージでもよく、トラッキングエリア更新受付メッセージは、NASメッセージを使用することにより実現される。UEがページングエリアリストを受信した後に、UEがページングエリアリストに記録された全ての位置エリアにおいて移動した場合、周期的な位置更新を除き、位置更新は開始される必要がない。
【００７２】
同様に、UEが2G/3Gネットワークのセルにおいて位置更新を開始した場合、第１のネットワーク標準は2G/3Gネットワークであり、第２のネットワーク標準はLTEネットワークであり、コアネットワークコントローラは、以下の２つの方式で第１の位置情報を取得してもよい。
【００７３】
方式１では、UEは、ルーティングエリア更新（Routeing  Area  Update、略してRAU）要求メッセージをBSC/RNCに送信する。RAU要求メッセージは、NASメッセージである。RAU要求メッセージは、RAIを保持し、RAIにより示されるルーティングエリアは、UEが位置更新を開始したセルが属するルーティングエリアである。
【００７４】
方式２では、UEは、ルーティングエリア更新要求メッセージをBSC/RNCに送信し、BSC/RNCは、UEが位置更新を開始したセルが属するトラッキングエリアを習得してもよい。eNBは、位置更新要求メッセージをコアネットワークコントローラに送信し、第１の位置情報を位置更新要求メッセージに追加する。第１の位置情報は、RAIを含む。或いは、BSC/RNCは、位置更新要求メッセージを保持する位置更新トリガーメッセージを使用することにより、RAIをコアネットワークコントローラに送信してもよい。
【００７５】
コアネットワークコントローラは、2G/3GネットワークのルーティングエリアをLTEネットワークのトラッキングエリアにマッピングし、ページングエリアリストを生成する。ページングエリアリストは、１つ以上のTAIと、１つ以上のRAIとを含む。RAIは第１の位置エリアアイデンティティであり、TAIは第２の位置エリアアイデンティティである。
【００７６】
コアネットワークコントローラは、ページングエリアリストを位置更新受付メッセージに追加し、位置更新受付メッセージをUEに送信する。位置更新受付メッセージは、具体的に、トラッキングエリア更新受付メッセージでもよく、トラッキングエリア更新受付メッセージは、NASメッセージを使用することにより実現される。UEがページングエリアリストを受信した後に、UEがページングエリアリストに記録された全ての位置エリアにおいて移動した場合、周期的な位置更新を除き、位置更新は開始される必要がない。
【００７７】
コアネットワークコントローラにより、第１の位置情報に従ってページングエリアリストを生成することは、コアネットワークコントローラにより、第１の位置情報に従って、第１のネットワーク標準の位置エリアを示すために使用される第１の位置エリアアイデンティティを決定し、第１の位置情報を第２のネットワーク標準の第２の位置情報にマッピングし、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成することを具体的に含んでもよい。
【００７８】
具体的に、UEがLTEネットワークのセルにおいて位置更新を開始した場合、第１の位置情報は、TAIを含んでもよく、コアネットワークコントローラは、コアネットワークコントローラにより把握されている異なるネットワーク標準のネットワークトポロジ情報に従って、LTEネットワークのトラッキングエリアを2G/3Gネットワークのルーティングエリアにマッピングし、ページングエリアリストを生成してもよい。ページングエリアリストは、１つ以上のTAIと、１つ以上のRAIとを含む。
【００７９】
UEが2G/3Gネットワークのセルにおいて位置更新を開始した場合、第１の位置情報は、RAIを含んでもよく、コアネットワークコントローラは、2G/3GネットワークのルーティングエリアをLTEネットワークのトラッキングエリアにマッピングし、ページングエリアリストを生成する。ページングエリアリストは、１つ以上のTAIと、１つ以上のRAIとを含む。
【００８０】
位置更新トリガーメッセージは、第２の位置情報を更に保持し、第１の位置情報と第２の位置情報との間にマッピング関係が存在する。
【００８１】
コアネットワークコントローラにより、第１の位置情報に従ってページングエリアリストを生成することは、コアネットワークコントローラにより、第１の位置情報に従って、第１のネットワーク標準の位置エリアを示すために使用される第１の位置エリアアイデンティティを決定し、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成することを具体的に含んでもよい。
【００８２】
具体的に、UEによりアクセスネットワークデバイスに送信された位置更新要求メッセージは、第１の位置エリアアイデンティティを保持し、アクセスネットワークデバイスは、第１の位置エリアアイデンティティに従って他のネットワーク標準の位置エリアへのマッピングを実行し、位置更新要求メッセージを保持する位置更新トリガーメッセージを使用することにより、マッピングにより取得された第２の位置エリアアイデンティティ及び第１の位置エリアアイデンティティをコアネットワークコントローラに送信する。
【００８３】
図２は、本発明の実施例による位置更新のシグナリング図である。図２を参照して、以下に、UEがLTEネットワークにおいて位置更新を開始する例を使用することにより、詳細な説明を提供する。UEが位置更新を開始する前にUEにサービス提供するネットワークデバイスは、old  S-GW及びold  MME/SGSN/コアネットワークコントローラ（CC）であり、UEの位置更新が実行された後にUEにサービス提供するネットワークデバイスは、new  S-GW及びnew  CCである。
【００８４】
ステップ201：UEは、トラッキングエリア更新要求メッセージ（TAU  Request）をeNBに送信する。トラッキングエリア更新要求メッセージは、TAIを保持する。
【００８５】
ステップ202：eNBは、トラッキングエリア更新要求メッセージをnew  CCに送信する。トラッキングエリア更新要求メッセージは、TAIと、TAIがマッピングされたRAIとを保持する。
【００８６】
ステップ203：new  CCは、コンテキスト要求メッセージ（Context  Request）をold  MME/SGSN/CCに送信する。
【００８７】
ステップ204：old  MME/SGSN/CCは、コンテキスト応答メッセージ（Context  Response）をnew  CCに送信する。
【００８８】
ステップ205：new  CCは、コンテキスト承認メッセージ（Context  Acknowledge）をold  MME/SGSN/CCに送信する。
【００８９】
ステップ206：new  CCは、セッション生成要求メッセージ（Create  Session  Request）をnew  S-GWに送信する。
【００９０】
ステップ207：new  S-GWは、ベアラ変更要求メッセージ（Modify  Bearer  Request）をP-GWに送信する。
【００９１】
ステップ208：P-GWは、ベアラ変更応答メッセージ（Modify  Bearer  Response）をnew  S-GWに送信する。
【００９２】
ステップ209：new  S-GWは、セッション生成応答メッセージ（Create  Session  Response）をnew  CCに送信する。
【００９３】
ステップ210：new  CCは、位置更新メッセージ（Update  Location）をHSS（Home  Subscriber  Server、ホーム加入者サーバ）に送信する。
【００９４】
ステップ211：HSSは、位置取消メッセージ（Cancel  Location）をold  MME/SGSN/CCに送信する。
【００９５】
ステップ212：old  MME/SGSN/CCは、位置取消承認メッセージ（Cancel  Location  Ack）をHSSに送信する。
【００９６】
ステップ213：HSSは、位置更新承認メッセージ（Update  Location  Ack）をnew  CCに送信する。
【００９７】
ステップ214：old  MME/SGSN/CCは、セッション削除要求メッセージ（Delete  Session  Request）をold  S-GWに送信する。
【００９８】
ステップ215：new  CCは、トラッキングエリア更新受付メッセージ（TAU  Accept）をUEに送信する。トラッキングエリア更新受付メッセージは、PALを保持する。
【００９９】
ステップ216：old  S-GWは、セッション削除応答メッセージ（Delete  Session  Response）をold  MME/SGSN/CCに送信する。
【０１００】
ネットワーク配備の段階的な実現の過程において、無線通信システムでは、コアネットワークコントローラが既存のネットワークにあるMME及びSGSNと共存する状況が生じ得る。コアネットワークコントローラが配置されていないエリアでは、UEの位置エリアの管理は、従来技術の位置エリア管理方法に従って実行されてもよい。コアネットワークコントローラが配置されている場所では、UEの位置エリアの管理は、この実施例で提供される方法に従って実行されてもよい。
【０１０１】
この実施例では、位置更新要求メッセージは、標準間の位置エリアの管理をサポートする指示情報を更に保持し、位置更新受付メッセージは、標準間の位置エリアの管理を活性化する指示情報を更に保持する。
【０１０２】
前述の適用シナリオでは、位置更新を開始した場合、UEが標準間の位置エリアの管理をサポートするか否かをコアネットワークコントローラが習得することができるように、UEは、標準間の位置エリアの管理がサポートされるか否かを示すために使用される指示情報を位置更新要求メッセージに追加してもよい。UEが標準間の位置エリアの管理をサポートする場合、コアネットワークコントローラは、この実施例で提供される方法に従ってUEの位置エリアの管理を実行してもよい。そうでない場合、UEの位置エリアの管理は、従来技術の位置エリア管理方法に従って実行されてもよい。コアネットワークコントローラはまた、標準間の位置エリアの管理が活性化されるか否かを示すために使用される指示情報を、UEに送信される位置更新受付メッセージに追加してもよく、或いは、UEは、受信した位置更新受付メッセージからページングエリアリストを識別した場合、標準間の位置エリアの管理が活性化されることを習得してもよい。コアネットワークコントローラで標準間の位置エリアの管理が活性化される場合、UEがページングエリアリストに記録された全ての位置エリアにおいて移動したときに、周期的な位置更新を除き、位置更新は開始される必要がない。そうでない場合、UEは、従来技術の方式で位置更新を開始してもよい。
【０１０３】
図３は、本発明の実施例による第２の位置エリア管理方法のフローチャートである。図３に示すように、この実施例では、ステップ101においてコアネットワークコントローラが第１のネットワーク標準においてUEにより送信された位置更新要求メッセージを受信した後、ステップ103においてコアネットワークコントローラがページングエリアリストを位置更新受付メッセージに追加し、位置更新受付メッセージをUEに送信する前に、この方法は、以下のステップを更に含む。
【０１０４】
ステップ301：コアネットワークコントローラは、第１のネットワーク標準において使用される第１の一時アイデンティティ及び第２のネットワーク標準において使用される第２の一時アイデンティティをUEに割り当てる。
【０１０５】
従って、ステップ103においてコアネットワークコントローラがページングエリアリストを位置更新受付メッセージに追加し、位置更新受付メッセージをUEに送信することは、具体的に、コアネットワークコントローラにより、ページングエリアリスト、第１の一時アイデンティティ及び第２の一時アイデンティティを位置更新受付メッセージに追加し、位置更新受付メッセージをUEに送信することを具体的に含んでもよい。
【０１０６】
具体的に、コアネットワークコントローラは、それぞれ第１のネットワーク標準及び第２のネットワーク標準で使用される一時アイデンティティをUEに再割り当てしてもよい。例えば、第１のネットワーク標準はLTEネットワークであり、第１の一時アイデンティティはS-TMSIであり、S-TMSIは従来技術のルールを使用することにより実現されてもよい。第２のネットワーク標準は2G/3Gネットワークであり、第２の一時アイデンティティはP-TMSIであり、P-TMSIもまた従来技術のルールを使用することにより実現されてもよい。
【０１０７】
この実施例では、ステップ103においてコアネットワークコントローラがページングエリアリストを位置更新受付メッセージに追加し、位置更新受付メッセージをUEに送信した後に、この方法は、以下のステップを更に含む。
【０１０８】
ステップ302：コアネットワークコントローラは、サービングゲートウェイ（S-GW）により送信された下りリンクデータ通知メッセージを受信し、ページングエリアリストに記録された少なくとも１つの位置エリアにおいてページングメッセージをアクセスネットワークデバイスに送信する。
【０１０９】
この実施例では、ステップ302においてコアネットワークコントローラがページングエリアリストに記録された少なくとも１つの位置エリアにおいてページングメッセージをアクセスネットワークデバイスに送信することは、コアネットワークコントローラにより、ページングエリアリストに記録された第１のネットワーク標準の位置エリアにおいて第１のページングメッセージを第１のアクセスネットワークデバイスに送信し、第１のページングメッセージは、第１の一時アイデンティティを保持し、コアネットワークコントローラにより、ページングエリアリストに記録された第２のネットワーク標準の位置エリアにおいて第２のページングメッセージを第２のアクセスネットワークデバイスに送信し、第２のページングメッセージは、第２の一時アイデンティティを保持することを含む。
【０１１０】
具体的に、一例では、第１のネットワーク標準はLTEネットワークであり、第２のネットワーク標準は2G/3Gネットワークである。UEがアイドル状態にある場合、UEの下りリンクデータは、P-GWに届き、P-GWは、下りリンクデータをS-GWに送信し、S-GWは、下りリンクデータ通知メッセージをコアネットワークコントローラに送信する。コアネットワークコントローラは、ページングエリアリストに記録された１つ以上のTAIに従って、１つ以上の位置エリアと、１つ以上の位置エリアが属するeNBとを決定し、対応するS1インタフェースを使用することにより、ページングメッセージを送信する。ページングメッセージは、コアネットワークコントローラによりUEに割り当てられたS-TMSIを保持する。コアネットワークコントローラは、ページングエリアリストに記録された１つ以上のRAIに従って、１つ以上の位置エリアと、１つ以上の位置エリアが属するBSC/RNCとを決定し、対応するIu/Gbインタフェースを使用することにより、ページングメッセージを送信する。ページングメッセージは、コアネットワークコントローラによりUEに割り当てられたP-TMSIを保持する。
【０１１１】
コアネットワークコントローラが送信された位置更新受付メッセージにおいて標準間の位置エリアの管理の活性化を示した場合、UEは、TINをRAT  related  TMSIに設定してもよい。UEがLTEネットワークにおいて位置更新を開始した場合、コアネットワークコントローラが送信された位置更新受付メッセージにおいて標準間の位置エリアの管理の活性化を示さず、ISR活性化指示を位置更新受付メッセージに追加しない場合、UEは、TINをS-TMSIに設定する。UEが2G/3Gネットワークにおいて位置更新を開始した場合、コアネットワークコントローラが送信された位置更新受付メッセージにおいて標準間の位置エリアの管理の活性化を示さず、ISR活性化指示を位置更新受付メッセージに追加しない場合、UEは、TINをP-TMSIに設定する。
【０１１２】
図４は、本発明の実施例による第３の位置エリア管理方法のフローチャートである。図４に示すように、この実施例では、ステップ101においてコアネットワークコントローラが第１のネットワーク標準においてUEにより送信された位置更新要求メッセージを受信した後、ステップ103においてコアネットワークコントローラがページングエリアリストを位置更新受付メッセージに追加し、位置更新受付メッセージをUEに送信する前に、この方法は、以下のステップを更に含む。
【０１１３】
ステップ401：コアネットワークコントローラは、統一の一時アイデンティティをUEに割り当てる。
【０１１４】
従って、ステップ103においてコアネットワークコントローラがページングエリアリストを位置更新受付メッセージに追加し、位置更新受付メッセージをUEに送信することは、コアネットワークコントローラにより、ページングエリアリスト及び統一の一時アイデンティティを位置更新受付メッセージに追加し、位置更新受付メッセージをUEに送信することを具体的に含んでもよい。
【０１１５】
具体的に、コアネットワークコントローラは更に、統一の一時アイデンティティをUEに再割り当てしてもよい。統一の一時アイデンティティは、様々なネットワーク標準に適用されてもよく、統一の一時アイデンティティは、或る期間内にUEを一意に識別するために使用される。コアネットワークコントローラは、位置更新受付メッセージを使用することにより、統一の一時アイデンティティをUEに送信する。UEがアイドル状態に切り替えた場合、UEをページングする過程において、UEにおいてページングが実行されていることをUEが認識し得るように、統一の一時アイデンティティは、ページングメッセージに追加されてもよい。統一の一時アイデンティティは、GUTI（Globally  Unique  Temporary  UE  Identity、グローバル一意一時端末アイデンティティ）を使用することにより実現されてもよく、GUTIは、以下のルールを使用することにより生成されてもよい。
<GUTI>=<GUMMEI><M-TMSI>;
ただし、<GUMMEI>=<MCC><MNC><MME  Identifier>;且つ
<MME  Identifier>=<MME  Group  ID><MME  Code>
M-TMSIはMMEにおけるUEの一意一時アイデンティティを表し、MCCはUEが位置するネットワークの国コードを表し、MNCはUEが位置するネットワークのネットワークコードを表し、MME  Group  IDはMMEが位置するグループの識別子を表し、MME  Codeはグループ内のMMEのコードを表す。
【０１１６】
この実施例は、GUTIの１つのみの生成ルールを提供し、LTEネットワークの既存の識別子が生成ルールにおいて使用される点に留意すべきである。しかし、当業者は、他のルールを使用することによりGUTIを規定してもよく、本発明はこれに限定されない。異なるネットワーク標準の一時アイデンティティを組み合わせることは、マルチネットワーク標準システムを統合してネットワークの複雑性を低減するのに役立つ。
【０１１７】
この実施例では、位置更新要求メッセージは、一時アイデンティティの統一した管理をサポートする指示情報を更に保持し、位置更新受付メッセージは、一時アイデンティティの統一した管理を活性化する指示情報を更に保持する。
【０１１８】
前述の適用シナリオでは、位置更新を開始した場合、UEが一時アイデンティティの統一した管理をサポートするか否かをコアネットワークコントローラが習得することができるように、UEは、一時アイデンティティの統一した管理がサポートされるか否かを示すために使用される指示情報を位置更新要求メッセージに追加してもよい。UEが一時アイデンティティの統一した管理をサポートする場合、コアネットワークコントローラは、この実施例で提供される方法に従って統一の一時アイデンティティをUEに割り当ててもよい。そうでない場合、一時アイデンティティは、従来技術の方式に従ってUEに割り当てられてもよい。コアネットワークコントローラはまた、一時アイデンティティの管理が活性化されるか否かを示すために使用される指示情報を、UEに送信される位置更新受付メッセージに追加してもよく、或いは、UEは、受信した位置更新受付メッセージから統一の一時アイデンティティを識別した場合、一時アイデンティティの統一した管理が活性化されることを習得してもよい。コアネットワークコントローラで一時アイデンティティの統一した管理が活性化される場合、UEは、統一の一時アイデンティティを使用することにより、ネットワーク側と相互作用する。そうでない場合、UEは、従来技術の方式でネットワーク側と相互作用してもよい。
【０１１９】
この実施例では、ステップ103においてコアネットワークコントローラがページングエリアリストを位置更新受付メッセージに追加し、位置更新受付メッセージをUEに送信した後に、この方法は、以下のステップを更に含む。
【０１２０】
ステップ402：コアネットワークコントローラは、サービングゲートウェイ（S-GW）により送信された下りリンクデータ通知メッセージを受信し、ページングエリアリストに記録された少なくとも１つの位置エリアにおいてページングメッセージをアクセスネットワークデバイスに送信する。
【０１２１】
この実施例では、ページングメッセージは、統一の一時アイデンティティを保持する。
【０１２２】
具体的に、UEがアイドル状態にある場合、UEの下りリンクデータは、P-GWに届き、P-GWは、下りリンクデータをS-GWに送信し、S-GWは、下りリンクデータ通知メッセージをコアネットワークコントローラに送信する。コアネットワークコントローラは、ページングエリアリストに記録された１つ以上のTAIに従って、１つ以上の位置エリアと、１つ以上の位置エリアが属するeNBとを決定し、対応するS1インタフェースを使用することにより、ページングメッセージを送信する。ページングメッセージは、コアネットワークコントローラによりUEに割り当てられた統一の一時アイデンティティを保持する。コアネットワークコントローラは、ページングエリアリストに記録された１つ以上のRAIに従って、１つ以上の位置エリアと、１つ以上の位置エリアが属するBSC/RNCとを決定し、対応するIu/Gbインタフェースを使用することにより、ページングメッセージを送信する。ページングメッセージは、コアネットワークコントローラによりUEに割り当てられた統一の一時アイデンティティを保持する。
【０１２３】
この実施例では、ステップ402においてコアネットワークコントローラがページングエリアリストに記録された少なくとも１つの位置エリアにおいてページングメッセージをアクセスネットワークデバイスに送信することは、コアネットワークコントローラにより、シングルラジオコントローラ（SRC）を使用することにより、ページングエリアリストに記録された少なくとも１つの位置エリアにおいてページングメッセージをアクセスネットワークデバイスに送信することを具体的に含んでもよい。
【０１２４】
具体的に、無線通信システムにおいてSRC（Single  Radio  Controller、シングルラジオコントローラ）が更に配置されてもよく、SRCは、同じエリアにおいて異なるネットワーク標準のアクセスネットワークデバイスの統一した管理を実行してもよい。そのエリアにおいて、SRCにより管理される同じネットワーク標準の１つより多くのアクセスネットワークデバイスが存在してもよい。コアネットワークコントローラは、SRCを使用することによりアクセスネットワークデバイスと通信し、コアネットワークコントローラとSRCとの間のインタフェースは、SRインタフェースでもよい。コアネットワークコントローラがSRインタフェースを使用することによりページングメッセージをSRCに配信する場合、ページングメッセージは、ページングエリアリストと、コアネットワークコントローラによりUEに割り当てられて異なるネットワーク標準に対応する一時アイデンティティ、すなわち、S-TMSI及びP-TMSI、又はコアネットワークコントローラによりUEに割り当てられて様々なネットワーク標準に適用され得る統一の一時アイデンティティとを保持する。SRCは、ページングエリアリストに従ってページングメッセージを接続されたアクセスネットワークデバイスに送信する。
【０１２５】
図５は、本発明の実施例による第１のコアネットワークコントローラの概略構成図である。図５に示すように、この実施例で提供されるコアネットワークコントローラは、本発明の実施例のいずれか１つで提供される位置エリア管理方法のステップを実現してもよい。ここでは、具体的な実現処理は再び説明しない。この実施例で提供されるコアネットワークコントローラは、第１のネットワーク標準においてUEにより送信された位置更新要求メッセージを受信するように構成された受信ユニット11と、ページングエリアリストを生成するように構成された処理ユニット12であり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含む処理ユニット12と、処理ユニット12により生成されたページングエリアリストを位置更新受付メッセージに追加し、位置更新受付メッセージをUEに送信するように構成された送信ユニット13とを具体的に含む。
【０１２６】
この実施例で提供されるコアネットワークコントローラによれば、受信ユニット11は、UEにより送信された位置更新要求メッセージを受信し、処理ユニット12は、ページングエリアリストを生成し、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含み、送信ユニット13は、ページングエリアリストを位置更新受付メッセージに追加し、位置更新受付メッセージをUEに送信し、UEがページングエリアリストに記録された位置エリアにおいて移動した場合、周期的な位置更新を除き、位置更新が開始される必要がないことをUEに通知する。これにより、コアネットワークコントローラによる異なるネットワーク標準の位置エリアの統一した管理と、標準間の位置更新における協調とが実現され、位置エリア管理の柔軟性が改善され、異なる移動特性を有するUEにより開始された位置更新が更に効果的に最適化され得る。LTE配備の間の準備段階において、或いはLTE配備の間の期間内であっても、カバレッジ分布は離散的である。この実施例で提供される位置エリア管理方法を使用することにより、UEが中心となって、UEの移動特性に従って効率的な動的ページングエリアが実際に形成される可能性が高くなり、位置エリアの管理効率が改善される。
【０１２７】
この実施例では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを開始するときにUEが位置する位置を示すために使用される。処理ユニット12は、第１の位置情報に従ってページングエリアリストを生成するように更に構成される。
【０１２８】
この実施例では、位置更新要求メッセージは、非アクセス層メッセージであり、位置更新トリガーメッセージは、イニシャルUEメッセージ又は上りリンク非アクセス層トランスポートメッセージであり、イニシャルUEメッセージ又は上りリンク非アクセス層トランスポートメッセージは、アクセスネットワークデバイスにより送信される。
【０１２９】
この実施例では、処理ユニット12は、第１の位置情報に従って、第１のネットワーク標準の位置エリアを示すために使用される第１の位置エリアアイデンティティを決定し、マッピング関係に従って第１の位置情報を第２のネットワーク標準の第２の位置情報にマッピングし、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【０１３０】
この実施例では、位置更新トリガーメッセージは、第２の位置情報を更に保持し、第１の位置情報と第２の位置情報との間にマッピング関係が存在する。
【０１３１】
処理ユニット12は、第１の位置情報に従って、第１のネットワーク標準の位置エリアを示すために使用される第１の位置エリアアイデンティティを決定し、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【０１３２】
この実施例では、処理ユニット12は、第１のネットワーク標準において使用される第１の一時アイデンティティ及び第２のネットワーク標準において使用される第２の一時アイデンティティをUEに割り当てるように更に構成される。送信ユニット13は、ページングエリアリスト、第１の一時アイデンティティ及び第２の一時アイデンティティを位置更新受付メッセージに追加し、位置更新受付メッセージをUEに送信するように更に構成される。
【０１３３】
この実施例では、処理ユニット12は、統一の一時アイデンティティをUEに割り当てるように更に構成される。送信ユニット13は、ページングエリアリスト及び統一の一時アイデンティティを位置更新受付メッセージに追加し、位置更新受付メッセージをUEに送信するように更に構成される。
【０１３４】
この実施例では、位置更新要求メッセージは、一時アイデンティティの統一した管理をサポートする指示情報を更に保持し、位置更新受付メッセージは、一時アイデンティティの統一した管理を活性化する指示情報を更に保持する。
【０１３５】
この実施例では、受信ユニット11は、サービングゲートウェイ（S-GW）により送信された下りリンクデータ通知メッセージを受信するように更に構成される。送信ユニット13は、ページングエリアリストに記録された少なくとも１つの位置エリアにおいてページングメッセージをアクセスネットワークデバイスに送信するように更に構成される。
【０１３６】
この実施例では、ページングメッセージは、統一の一時アイデンティティを保持する。
【０１３７】
この実施例では、送信ユニット13は、ページングエリアリストに記録された第１のネットワーク標準の位置エリアにおいて第１のページングメッセージを第１のアクセスネットワークデバイスに送信するように更に構成され、第１のページングメッセージは、UEに割り当てられて第１のネットワーク標準において使用される第１の一時アイデンティティを保持し、ページングエリアリストに記録された第２のネットワーク標準の位置エリアにおいて第２のページングメッセージを第２のアクセスネットワークデバイスに送信するように更に構成され、第２のページングメッセージは、UEに割り当てられて第２のネットワーク標準において使用される第２の一時アイデンティティを保持する。
【０１３８】
この実施例では、送信ユニット13は、シングルラジオコントローラ（SRC）を使用することにより、ページングエリアリストに記録された少なくとも１つの位置エリアにおいてページングメッセージをアクセスネットワークデバイスに送信するように更に構成される。
【０１３９】
この実施例では、位置更新要求メッセージは、標準間の位置エリアの管理をサポートする指示情報を更に保持し、位置更新受付メッセージは、標準間の位置エリアの管理を活性化する指示情報を更に保持する。
【０１４０】
図６は、本発明の実施例による第２のコアネットワークコントローラの概略構成図である。図６に示すように、この実施例で提供されるコアネットワークコントローラは、本発明の実施例のいずれか１つで提供される位置エリア管理方法のステップを実現してもよい。ここでは、具体的な実現処理は再び説明しない。この実施例で提供されるコアネットワークコントローラは、第１のネットワーク標準においてUEにより送信された位置更新要求メッセージを受信するように構成された受信機21と、ページングエリアリストを生成するように構成されたプロセッサ22であり、ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含むプロセッサ22と、プロセッサ22により生成されたページングエリアリストを位置更新受付メッセージに追加し、位置更新受付メッセージをUEに送信するように構成された送信機23とを具体的に含む。
【０１４１】
この実施例で提供されるコアネットワークコントローラによれば、コアネットワークコントローラによる異なるネットワーク標準の位置エリアの統一した管理と、標準間の位置更新における協調とが実現され、位置エリア管理の柔軟性が改善され、異なる移動特性を有するUEにより開始された位置更新が更に効果的に最適化され得る。LTE配備の間の準備段階において、或いはLTE配備の間の期間内であっても、カバレッジ分布は離散的である。この実施例で提供される位置エリア管理方法を使用することにより、UEが中心となって、UEの移動特性に従って効率的な動的ページングエリアが実際に形成される可能性が高くなり、位置エリアの管理効率が改善される。
【０１４２】
この実施例では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを開始するときにUEが位置する位置を示すために使用される。プロセッサ22は、第１の位置情報に従ってページングエリアリストを生成するように更に構成される。
【０１４３】
この実施例では、プロセッサ22は、第１の位置情報に従って、第１のネットワーク標準の位置エリアを示すために使用される第１の位置エリアアイデンティティを決定し、マッピング関係に従って第１の位置情報を第２のネットワーク標準の第２の位置情報にマッピングし、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【０１４４】
この実施例では、位置更新トリガーメッセージは、第２の位置情報を更に保持し、第１の位置情報と第２の位置情報との間にマッピング関係が存在する。プロセッサ22は、第１の位置情報に従って、第１のネットワーク標準の位置エリアを示すために使用される第１の位置エリアアイデンティティを決定し、第２の位置情報に従って、第２のネットワーク標準の位置エリアを示すために使用される第２の位置エリアアイデンティティを決定し、第１の位置エリアアイデンティティ及び第２の位置エリアアイデンティティに従ってページングエリアリストを生成するように更に構成される。
【０１４５】
この実施例では、プロセッサ22は、第１のネットワーク標準において使用される第１の一時アイデンティティ及び第２のネットワーク標準において使用される第２の一時アイデンティティをUEに割り当てるように更に構成される。送信機23は、ページングエリアリスト、第１の一時アイデンティティ及び第２の一時アイデンティティを位置更新受付メッセージに追加し、位置更新受付メッセージをUEに送信するように更に構成される。
【０１４６】
この実施例では、プロセッサ22は、統一の一時アイデンティティをUEに割り当てるように更に構成される。送信機23は、ページングエリアリスト及び統一の一時アイデンティティを位置更新受付メッセージに追加し、位置更新受付メッセージをUEに送信するように更に構成される。
【０１４７】
この実施例では、位置更新要求メッセージは、一時アイデンティティの統一した管理をサポートする指示情報を更に保持し、位置更新受付メッセージは、一時アイデンティティの統一した管理を活性化する指示情報を更に保持する。
【０１４８】
この実施例では、受信機21は、サービングゲートウェイ（S-GW）により送信された下りリンクデータ通知メッセージを受信するように更に構成される。送信機23は、ページングエリアリストに記録された少なくとも１つの位置エリアにおいてページングメッセージをアクセスネットワークデバイスに送信するように更に構成される。
【０１４９】
この実施例では、ページングメッセージは、統一の一時アイデンティティを保持する。
【０１５０】
この実施例では、送信機23は、ページングエリアリストに記録された第１のネットワーク標準の位置エリアにおいて第１のページングメッセージを第１のアクセスネットワークデバイスに送信するように更に構成され、第１のページングメッセージは、UEに割り当てられて第１のネットワーク標準において使用される第１の一時アイデンティティを保持し、ページングエリアリストに記録された第２のネットワーク標準の位置エリアにおいて第２のページングメッセージを第２のアクセスネットワークデバイスに送信するように更に構成され、第２のページングメッセージは、UEに割り当てられて第２のネットワーク標準において使用される第２の一時アイデンティティを保持する。
【０１５１】
この実施例では、送信機23は、シングルラジオコントローラ（SRC）を使用することにより、ページングエリアリストに記録された少なくとも１つの位置エリアにおいてページングメッセージをアクセスネットワークデバイスに送信するように更に構成される。
【０１５２】
この実施例では、位置更新要求メッセージは、非アクセス層メッセージであり、位置更新トリガーメッセージは、イニシャルUEメッセージ又は上りリンク非アクセス層トランスポートメッセージであり、イニシャルUEメッセージ又は上りリンク非アクセス層トランスポートメッセージは、アクセスネットワークデバイスにより送信される。
【０１５３】
この実施例では、位置更新要求メッセージは、標準間の位置エリアの管理をサポートする指示情報を更に保持し、位置更新受付メッセージは、標準間の位置エリアの管理を活性化する指示情報を更に保持する。
【０１５４】
当業者は、方法の実施例のステップの全部又は一部が関係するハードウェアに命令するプログラムにより実現されてもよいことを認識し得る。プログラムは、コンピュータ読み取り可能記憶媒体に記憶されてもよい。プログラムが実行する場合、方法の実施例のステップが実行される。前述の記憶媒体は、ROM、RAM、磁気ディスク又は光ディスクのようなプログラムコードを記憶することができるいずれかの媒体を含む。
【０１５５】
最後に、前述の実施例は、単に本発明の技術的対策を説明することを意図するものであり、本発明を限定することを意図するものではない点に留意すべきである。本発明について前述の実施例を参照して詳細に説明したが、当業者は、本発明の実施例の技術的対策の範囲を逸脱することなく、依然として前述の実施例に記載の技術的対策に変更を行ってもよく、その一部又は全部の技術的特徴に等価置換を行ってもよいことを認識すべきである。
【図１】
2016526327.tif 000003
【図２】
2016526327.tif 000004
【図３】
2016526327.tif 000005
【図４】
2016526327.tif 000006
【図５】
2016526327.tif 000007
【図６】
2016526327.tif 000008
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
コアネットワークコントローラにより、第１のネットワーク標準においてユーザ装置（UE）により送信された位置更新要求メッセージを受信するステップと、
前記コアネットワークコントローラにより、ページングエリアリストを生成するステップであり、前記ページングエリアリストは、前記第１のネットワーク標準の位置エリアを示すために使用される第１の位置エリアアイデンティティ及び第２のネットワーク標準の位置エリアを示すために使用される第２の位置エリアアイデンティティを少なくとも有するステップと、
前記コアネットワークコントローラにより、前記ページングエリアリストを位置更新受付メッセージに追加し、前記位置更新受付メッセージを前記UEに送信するステップと
を有することを特徴とする位置エリア管理方法。
【請求項２】
前記位置更新要求メッセージは、第１の位置情報を保持し、或いは、前記位置更新要求メッセージは、位置更新トリガーメッセージに保持され、前記位置更新トリガーメッセージは、前記第１の位置情報を保持し、前記第１の位置情報は、前記第１のネットワーク標準において前記位置更新要求メッセージを送信するときに前記UEが位置する位置を示すために使用され、
前記コアネットワークコントローラにより、ページングエリアリストを生成するステップは、
前記コアネットワークコントローラにより、前記第１の位置情報に従って前記ページングエリアリストを生成するステップを有する、請求項１に記載の位置エリア管理方法。
【請求項３】
前記コアネットワークコントローラにより、前記第１の位置情報に従って前記ページングエリアリストを生成するステップは、
前記コアネットワークコントローラにより、前記第１の位置情報に従って、前記第１のネットワーク標準の前記位置エリアを示すために使用される前記第１の位置エリアアイデンティティを決定するステップと、
前記コアネットワークコントローラにより、マッピング関係に従って前記第１の位置情報を前記第２のネットワーク標準の第２の位置情報にマッピングするステップと、
前記コアネットワークコントローラにより、前記第２の位置情報に従って、前記第２のネットワーク標準の前記位置エリアを示すために使用される前記第２の位置エリアアイデンティティを決定するステップと、
前記コアネットワークコントローラにより、前記第１の位置エリアアイデンティティ及び前記第２の位置エリアアイデンティティに従って前記ページングエリアリストを生成するステップと
を有する、請求項２に記載の位置エリア管理方法。
【請求項４】
前記位置更新トリガーメッセージは、第２の位置情報を更に保持し、前記第１の位置情報と前記第２の位置情報との間にマッピング関係が存在し、
前記コアネットワークコントローラにより、前記第１の位置情報に従って前記ページングエリアリストを生成するステップは、
前記コアネットワークコントローラにより、前記第１の位置情報に従って、前記第１のネットワーク標準の前記位置エリアを示すために使用される前記第１の位置エリアアイデンティティを決定するステップと、
前記コアネットワークコントローラにより、前記第２の位置情報に従って、前記第２のネットワーク標準の前記位置エリアを示すために使用される前記第２の位置エリアアイデンティティを決定するステップと、
前記コアネットワークコントローラにより、前記第１の位置エリアアイデンティティ及び前記第２の位置エリアアイデンティティに従って前記ページングエリアリストを生成するステップと
を有する、請求項２に記載の位置エリア管理方法。
【請求項５】
コアネットワークコントローラにより、第１のネットワーク標準においてUEにより送信された位置更新要求メッセージを受信した後、且つ、前記コアネットワークコントローラにより、前記ページングエリアリストを位置更新受付メッセージに追加し、前記位置更新受付メッセージを前記UEに送信する前に、前記方法は、
前記コアネットワークコントローラにより、前記第１のネットワーク標準において使用される第１の一時アイデンティティ及び前記第２のネットワーク標準において使用される第２の一時アイデンティティを前記UEに割り当てるステップを更に有し、
前記コアネットワークコントローラにより、前記ページングエリアリストを位置更新受付メッセージに追加し、前記位置更新受付メッセージを前記UEに送信するステップは、
前記コアネットワークコントローラにより、前記ページングエリアリスト、前記第１の一時アイデンティティ及び前記第２の一時アイデンティティを前記位置更新受付メッセージに追加し、前記位置更新受付メッセージを前記UEに送信するステップを有する、請求項１ないし４のうちいずれか１項に記載の位置エリア管理方法。
【請求項６】
コアネットワークコントローラにより、第１のネットワーク標準においてUEにより送信された位置更新要求メッセージを受信した後、且つ、前記コアネットワークコントローラにより、前記ページングエリアリストを位置更新受付メッセージに追加し、前記位置更新受付メッセージを前記UEに送信する前に、前記方法は、
前記コアネットワークコントローラにより、前記第１のネットワーク標準及び前記第２のネットワーク標準において使用される統一の一時アイデンティティを前記UEに割り当てるステップを更に有し、
前記コアネットワークコントローラにより、前記ページングエリアリストを位置更新受付メッセージに追加し、前記位置更新受付メッセージを前記UEに送信するステップは、
前記コアネットワークコントローラにより、前記ページングエリアリスト及び前記統一の一時アイデンティティを前記位置更新受付メッセージに追加し、前記位置更新受付メッセージを前記UEに送信するステップを有する、請求項１ないし４のうちいずれか１項に記載の位置エリア管理方法。
【請求項７】
前記位置更新要求メッセージは、一時アイデンティティの統一した管理をサポートする指示情報を更に保持し、
前記位置更新受付メッセージは、一時アイデンティティの統一した管理を活性化する指示情報を更に保持する、請求項６に記載の位置エリア管理方法。
【請求項８】
第１のネットワーク標準においてユーザ装置（UE）により送信された位置更新要求メッセージを受信するように構成された受信ユニットと、
ページングエリアリストを生成するように構成された処理ユニットであり、前記ページングエリアリストは、前記第１のネットワーク標準の位置エリアを示すために使用される第１の位置エリアアイデンティティ及び第２のネットワーク標準の位置エリアを示すために使用される第２の位置エリアアイデンティティを少なくとも有する処理ユニットと、
前記処理ユニットにより生成された前記ページングエリアリストを位置更新受付メッセージに追加し、前記位置更新受付メッセージを前記UEに送信するように構成された送信ユニットと
を有することを特徴とするコアネットワークコントローラ。
【請求項９】
前記位置更新要求メッセージは、第１の位置情報を保持し、或いは、前記位置更新要求メッセージは、位置更新トリガーメッセージに保持され、前記位置更新トリガーメッセージは、前記第１の位置情報を保持し、前記第１の位置情報は、前記第１のネットワーク標準において前記位置更新要求メッセージを送信するときに前記UEが位置する位置を示すために使用され、
前記処理ユニットは、前記第１の位置情報に従って前記ページングエリアリストを生成するように更に構成される、請求項８に記載のコアネットワークコントローラ。
【請求項１０】
前記処理ユニットは、前記第１の位置情報に従って、前記第１のネットワーク標準の前記位置エリアを示すために使用される前記第１の位置エリアアイデンティティを決定し、マッピング関係に従って前記第１の位置情報を前記第２のネットワーク標準の第２の位置情報にマッピングし、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項９に記載のコアネットワークコントローラ。
【請求項１１】
前記位置更新トリガーメッセージは、第２の位置情報を更に保持し、前記第１の位置情報と前記第２の位置情報との間にマッピング関係が存在し、
前記処理ユニットは、前記第１の位置情報に従って、前記第１のネットワーク標準の前記位置エリアを示すために使用される前記第１の位置エリアアイデンティティを決定し、前記第２の位置情報に従って、前記第２のネットワーク標準の前記位置エリアを示すために使用される前記第２の位置エリアアイデンティティを決定し、前記第１の位置エリアアイデンティティ及び前記第２の位置エリアアイデンティティに従って前記ページングエリアリストを生成するように更に構成される、請求項９に記載のコアネットワークコントローラ。
【請求項１２】
前記処理ユニットは、前記第１のネットワーク標準において使用される第１の一時アイデンティティ及び前記第２のネットワーク標準において使用される第２の一時アイデンティティを前記UEに割り当てるように更に構成され、
前記送信ユニットは、前記ページングエリアリスト、前記第１の一時アイデンティティ及び前記第２の一時アイデンティティを前記位置更新受付メッセージに追加し、前記位置更新受付メッセージを前記UEに送信するように更に構成される、請求項８ないし１１のうちいずれか１項に記載のコアネットワークコントローラ。
【請求項１３】
前記処理ユニットは、統一の一時アイデンティティを前記UEに割り当てるように更に構成され、
前記送信ユニットは、前記ページングエリアリスト及び前記統一の一時アイデンティティを前記位置更新受付メッセージに追加し、前記位置更新受付メッセージを前記UEに送信するように更に構成される、請求項８ないし１１のうちいずれか１項に記載のコアネットワークコントローラ。
【請求項１４】
前記位置更新要求メッセージは、一時アイデンティティの統一した管理をサポートする指示情報を更に保持し、
前記位置更新受付メッセージは、一時アイデンティティの統一した管理を活性化する指示情報を更に保持する、請求項１３に記載のコアネットワークコントローラ。
【手続補正２】
【補正対象書類名】明細書
【補正対象項目名】０００２
【補正方法】変更
【補正の内容】
【０００２】
通信技術の進展により、第３世代パートナーシッププロジェクト（Third  Generation  Partnership  Project、略して3GPP）は、高速、高容量且つ良好なユーザ性能を得ることを期待して、4Gロングタームエボリューション（Long  Term  Evolution、略してLTE）技術において研究及び標準化作業を実行している。LTE配備の間の準備段階において、LTEネットワークは、ホットスポットのみで配置されるが、全カバレッジは、2G/3Gネットワークで行われる。複数の無線ネットワークが重複するエリア又は隣接するエリアでは、UE（User  Equipment、ユーザ装置）は、LTEネットワークと2G/3Gネットワークとの間を行き来する場合、システム間のセル再選択がUEについて頻繁に実行される必要がある。システム間のセル再選択のそれぞれは、コアネットワークにおいて登録されたUEの位置情報を更新するためのUEの位置更新手順をもたらし、ネットワーク及びエアインタフェースに大量のシグナリング負荷の増加を生じる。
【手続補正３】
【補正対象書類名】明細書
【補正対象項目名】００１９
【補正方法】変更
【補正の内容】
【００１９】
第２の態様の第１の可能な実現方式では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを送信するときにUEが位置する位置を示すために使用され、処理ユニットは、第１の位置情報に従ってページングエリアリストを生成するように更に構成される。
【手続補正４】
【補正対象書類名】明細書
【補正対象項目名】００３２
【補正方法】変更
【補正の内容】
【００３２】
第１の可能な実現方式では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを送信するときにUEが位置する位置を示すために使用され、プロセッサは、第１の位置情報に従ってページングエリアリストを生成するように更に構成される。
【手続補正５】
【補正対象書類名】明細書
【補正対象項目名】００５３
【補正方法】変更
【補正の内容】
【００５３】
具体的に、CCは、新たに追加されたネットワークエレメントであり、LTEネットワーク及び2G/3GネットワークにおいてUEの位置エリアの管理を同時に実行する。UEは、LTEネットワーク又は2G/3Gネットワークのセルにおいて位置更新手順を開始してもよい。LTEネットワークが第１のネットワーク標準である場合、2G/3Gネットワークは第２のネットワーク標準である。2G/3Gネットワークが第１のネットワーク標準である場合、LTEネットワークは第２のネットワーク標準である。UEは、複数の適用シナリオにおいて位置更新手順をトリガーしてもよい。
【手続補正６】
【補正対象書類名】明細書
【補正対象項目名】００５４
【補正方法】変更
【補正の内容】
【００５４】
適用シナリオでは、UEがアイドル状態で位置更新を開始した場合、UEは、RRC（Radio  Resource  Control、無線リソース制御）メッセージを、LTEネットワークのeNB、2GネットワークのBSC又は3GネットワークのRNCのような第１のネットワーク標準のアクセスネットワークデバイスに送信する。RRCメッセージは、位置更新要求メッセージを保持し、位置更新要求メッセージは、NAS（Non  Access  Stratum、非アクセス層）メッセージを使用することにより実現されてもよい。位置更新要求メッセージは、UEが位置する第１のネットワーク標準の位置エリアを示すために使用される第１の位置情報を保持してもよく、保持しなくてもよい。RRCメッセージを受信した場合、アクセスネットワークデバイスは、UEのコンテキストが記憶されていないことを見つけ、UEが新たにアクセスした端末であると決定し、イニシャルUEメッセージ（Initial  UE  Message）をコアネットワークコントローラに送信する。イニシャルUEメッセージは、位置更新要求メッセージを保持し、第１の位置情報を更に保持してもよい。すなわち、第１の位置情報は、位置更新要求メッセージに保持され、コアネットワークコントローラに伝送されてもよく、イニシャルUEメッセージを使用することによりアクセスネットワークデバイスによりコアネットワークコントローラに送信されてもよい。
【手続補正７】
【補正対象書類名】明細書
【補正対象項目名】００５６
【補正方法】変更
【補正の内容】
【００５６】
コアネットワークコントローラが位置更新要求メッセージを受信したときに、位置更新要求メッセージが第１の位置情報を保持し、或いは、位置更新要求メッセージが位置更新トリガーメッセージに保持され、位置更新トリガーメッセージがイニシャルUEメッセージ又は上りリンクNASトランスポートメッセージでもよく、位置更新トリガーメッセージが第１の位置情報を保持し、第１の位置情報が、位置更新を開始するときにUEが位置する第１のネットワーク標準の位置エリアのアイデンティティである場合、コアネットワークが第１の位置情報に従ってページングエリアリストを生成してもよいことは、具体的に、ページングエリアリスト（Paging  Area  List、略してPAL）を生成するため、マッピング関係に従って第１のネットワーク標準の第１の位置情報を第２のネットワーク標準の第２の位置情報にマッピングすることでもよい。ページングエリアリストは、第１のネットワーク標準の位置エリアを示すために使用される第１の位置エリアアイデンティティ及び第２のネットワーク標準の位置エリアを示すために使用される第２の位置エリアアイデンティティを少なくとも含む。
【手続補正８】
【補正対象書類名】明細書
【補正対象項目名】００５７
【補正方法】変更
【補正の内容】
【００５７】
マッピング関係は、第１のネットワーク標準の位置エリアと第２のネットワーク標準の位置エリアとの間のカバレッジ関係でもよい点に留意すべきである。例えば、マッピング関係は、第１のネットワーク標準の位置エリア間の隣接関係及び異なる標準の位置エリア間のカバレッジ関係である。この場合、マッピング関係に従って第１のネットワーク標準の第１の位置情報を第２のネットワーク標準の第２の位置情報にマッピングすることは、第２の位置情報を取得するため、まず、第１のネットワーク標準の位置エリア間の隣接関係に従って、位置更新要求を開始するときにUEが位置する位置エリアの隣接位置エリアを取得し、次に、異なる標準の位置エリア間のカバレッジ関係を使用することにより、UEが位置する位置エリア及び隣接位置エリアとカバレッジの重複を有する第２のネットワーク標準の位置エリアを取得することを具体的に含む。
【手続補正９】
【補正対象書類名】明細書
【補正対象項目名】００６４
【補正方法】変更
【補正の内容】
【００６４】
この実施例では、位置更新要求メッセージは、第１の位置情報を保持し、或いは、位置更新要求メッセージは、位置更新トリガーメッセージに保持される。位置更新トリガーメッセージは、第１の位置情報を保持し、第１の位置情報は、第１のネットワーク標準において位置更新要求メッセージを送信するときにUEが位置する位置を示すために使用される。
【手続補正１０】
【補正対象書類名】明細書
【補正対象項目名】００７０
【補正方法】変更
【補正の内容】
【００７０】
コアネットワークコントローラは、統一した方式で異なるネットワーク標準の位置エリアを管理するため、コアネットワークコントローラは、異なるネットワーク標準のネットワークトポロジ情報に従ってLTEネットワークのトラッキングエリアを2G/3Gネットワークのルーティングエリアにマッピングし、ページングエリアリストを生成してもよい。ページングエリアリストは、１つ以上のTAIと、１つ以上のRAI（Routing  Area  Identity、ルーティングエリアアイデンティティ）とを含む。TAIは第１の位置エリアアイデンティティであり、RAIは第２の位置エリアアイデンティティである。
【手続補正１１】
【補正対象書類名】明細書
【補正対象項目名】００７３
【補正方法】変更
【補正の内容】
【００７３】
方式１では、UEは、ルーティングエリア更新（Routing  Area  Update、略してRAU）要求メッセージをBSC/RNCに送信する。RAU要求メッセージは、NASメッセージである。RAU要求メッセージは、RAIを保持し、RAIにより示されるルーティングエリアは、UEが位置更新を開始したセルが属するルーティングエリアである。
【手続補正１２】
【補正対象書類名】明細書
【補正対象項目名】００７４
【補正方法】変更
【補正の内容】
【００７４】
方式２では、UEは、ルーティングエリア更新要求メッセージをBSC/RNCに送信し、BSC/RNCは、UEが位置更新を開始したセルが属するトラッキングエリアを習得してもよい。BSC/RNCは、位置更新要求メッセージをコアネットワークコントローラに送信し、第１の位置情報を位置更新要求メッセージに追加する。第１の位置情報は、RAIを含む。或いは、BSC/RNCは、位置更新要求メッセージを保持する位置更新トリガーメッセージを使用することにより、RAIをコアネットワークコントローラに送信してもよい。
【手続補正１３】
【補正対象書類名】明細書
【補正対象項目名】０１２７
【補正方法】変更
【補正の内容】
【０１２７】
この実施例では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを送信するときにUEが位置する位置を示すために使用される。処理ユニット12は、第１の位置情報に従ってページングエリアリストを生成するように更に構成される。
【手続補正１４】
【補正対象書類名】明細書
【補正対象項目名】０１４２
【補正方法】変更
【補正の内容】
【０１４２】
この実施例では、位置更新要求メッセージは、第１の位置情報を保持し、或いは、位置更新要求メッセージは、位置更新トリガーメッセージに保持され、位置更新トリガーメッセージは、第１の位置情報を保持し、第１の位置情報は、第１のネットワーク標準において位置更新要求メッセージを送信するときにUEが位置する位置を示すために使用される。プロセッサ22は、第１の位置情報に従ってページングエリアリストを生成するように更に構成される。
【国際調査報告】
2016526327.tif 000009
2016526327.tif 000010
2016526327.tif 000011
2016526327.tif 000012